(57)【特許請求の範囲】
【請求項１】
複数の機器に装着可能な電池パックの装着状況について、表示機器に情報を提供する情報提供方法であって、
前記表示機器が、表示機器に紐付けられた複数の前記電池パックの装着状況を前記表示機器に表示する要求を受け付けるステップ（ａ）と、
前記要求を受け付けると、前記表示機器の表示画面に、前記表示機器に紐付けられた前記複数の機器のそれぞれについて前記電池パックが装着されているか否かを示す情報を表示するステップ（ｂ）とを備え、
前記ステップ（ｂ）において、前記電池パックが装着されている状態と、前記電池パックが装着されていない状態とを、互いに異なる画像の表示態様にて表示する、
情報提供方法。
【請求項２】
複数の機器に装着可能な電池パックの装着状況について、表示機器に情報を提供する情報提供方法であって、
前記表示機器が、表示機器に紐付けられた複数の前記電池パックの装着状況を前記表示機器に表示する要求を受け付けるステップ（ａ）と、
前記要求を受け付けると、前記表示機器の表示画面に、前記表示機器に紐付けられた前記複数の機器のそれぞれについて前記電池パックが装着されているか否かを示す情報を表示するステップ（ｂ）と、
前記表示画面に表示された前記複数の電池パックのうち、所定の電池パックの選択を受け付けるステップ（ｃ）と、
前記選択された所定の電池パックに関する情報を表示するステップ（ｄ）とを備える、
情報提供方法。
【請求項３】
前記ステップ（ｄ）において、前記情報は、前記所定の電池パックが使用された機器の履歴情報を含む、請求項２記載の情報提供方法。
【請求項４】
前記所定の電池パックが使用された機器の履歴情報は、前記所定の電池パックが使用された複数の機器の履歴を示す情報である、請求項３記載の情報提供方法。
【請求項５】
前記所定の電池パックが使用された複数の機器の履歴を示す情報は、前記所定の電池パックが使用された複数の機器のそれぞれを示す情報と、前記複数の機器のそれぞれに使用された回数である、請求項４記載の情報提供方法。
【請求項６】
前記所定の電池パックが使用された複数の機器の履歴を示す情報は、前記所定の電池パックが使用された複数の機器のそれぞれを示す情報と、前記複数の機器のそれぞれに使用された時間である、請求項４記載の情報提供方法。
【請求項７】
前記ステップ（ｄ）において、前記情報は、前記所定の電池パックの買い替えを促すための広告情報を含む、請求項２記載の情報提供方法。
【請求項８】
前記広告情報は、前記所定の電池パックを販売する販売店のホームページを表示するためのハイパーテキストを含む、請求項７記載の情報提供方法。
【請求項９】
前記広告情報は、前記表示機器の近傍にある販売店を示す情報である、請求項７記載の情報提供方法。
【請求項１０】
前記ステップ（ｄ）において、前記情報は、前記複数の機器のうち、前記所定の電池パックを装着した場合に動作可能な機器を示す情報を含む、請求項２記載の情報提供方法。
【請求項１１】
前記ステップ（ｄ）において、前記情報は、前記複数の機器のうち、前記所定の電池パックを装着した場合に動作可能な機器を示す情報と前記所定の電池パックを装着した場合に動作しない機器を示す情報とを含む、請求項２記載の情報提供方法。
【請求項１２】
前記ステップ（ｄ）において、前記所定の電池パックを装着した場合に動作可能な機器を示す情報と前記所定の電池パックを装着した場合に動作しない機器を示す情報とは異なる態様で表示される、請求項１１記載の情報提供方法。
【発明の詳細な説明】
【技術分野】
【０００１】
本開示は、機器に装着可能な電池パックの装着状況に基づいて、表示機器に情報を提供する情報提供方法及び情報提供装置、及び機器に装着可能な電池パックに関する。
【背景技術】
【０００２】
従来、電池パックの装着を検知し、装着が検知された電池パックの不具合に関する情報を検出し、検出された情報に基づき電池パックの不具合を判断し、不具合があると判断された電池パックに関する注意画像情報を表示させる電子機器が知られている（例えば、特許文献１参照）。
【０００３】
特許文献１の電子機器では、電池パックの寿命及び不具合等の情報を使用者に知らせることができ、不必要な充電及び起動等を制限できる。
【先行技術文献】
【特許文献】
【０００４】
【特許文献１】特開２００５−３２１９８３号公報
【発明の概要】
【発明が解決しようとする課題】
【０００５】
上記従来の技術は、種々の家電機器に電池パックを装着した場合を想定すると、改善の余地があった。
【０００６】
上記事情を鑑み、限定的ではない例示的なある実施形態は、電池パックが装着されている機器をユーザが把握することができる情報提供方法、情報提供装置及び電池パックを提供する。
【課題を解決するための手段】
【０００７】
本開示の一態様に係る情報提供方法は、複数の機器に装着可能な電池パックの装着状況について、表示機器に情報を提供する情報提供方法であって、前記表示機器が、表示機器に紐付けられた複数の前記電池パックの装着状況を前記表示機器に表示する要求を受け付けるステップ（ａ）と、前記要求を受け付けると、前記表示機器の表示画面に、前記表示機器に紐付けられた前記複数の機器のそれぞれについて前記蓄電池パックが装着されているか否かを示す情報を表示するステップ（ｂ）とを備える。
【発明の効果】
【０００８】
本開示によれば、表示機器に対して、電池パックがどの機器に装着されたかが通知されるので、ユーザは、電池パックが装着されている機器を把握することができる。
【図面の簡単な説明】
【０００９】
【図１】（Ａ）は、本実施の形態における制御システムが提供するサービスの全体像を示す図であり、（Ｂ）は、機器メーカがデータセンタ運営会社に該当する例を示す図であり、（Ｃ）は、機器メーカ及び管理会社の両者又はいずれか一方がデータセンタ運営会社に該当する例を示す図である。
【図２】本開示の実施の形態１における情報提供システムの概略構成を示す図である。
【図３】本開示の実施の形態１における情報提供システムのハードウェア構成を示す図である。
【図４】本開示の実施の形態１における電池パック、表示機器及びクラウドサーバの構成を示す機能ブロック図である。
【図５】本実施の形態１において電池パック管理データベースに記憶されるデータの一例を示す図である。
【図６】本開示の実施の形態１における情報提供システムの動作を示すシーケンス図である。
【図７】本実施の形態１において、表示機器のモニタに表示される表示情報の一例を示す図である。
【図８】本開示の実施の形態１の変形例における電池パック、表示機器及びクラウドサーバの構成を示す機能ブロック図である。
【図９】本開示の実施の形態１の変形例における情報提供システムの動作を示すシーケンス図である。
【図１０】本実施の形態１の変形例において、表示機器のモニタに表示される表示情報の例を示す図である。
【図１１】本開示の実施の形態２における電池パック、表示機器及びクラウドサーバの構成を示す機能ブロック図である。
【図１２】本実施の形態２において、表示機器のモニタに表示される表示情報の例を示す図である。
【図１３】本実施の形態２において、ユーザによって選択された電池パックに関する情報を含む表示情報の例を示す図である。
【図１４】本実施の形態２において、ユーザに対して電池パックの買い換えを促すための広告情報を含む表示情報の例を示す図である。
【図１５】本実施の形態２において、現在の電池パックを装着した場合に動作可能な機器を示す情報を含む表示情報の例を示す図である。
【図１６】本実施の形態２において、現在の電池パックを装着した場合に動作可能な機器を示す情報と、現在の電池パックを装着した場合に動作しない機器を示す情報とを含む表示情報の例を示す図である。
【図１７】本実施の形態２において、ユーザによって選択された電池パックを制御するための操作ボタンを含む表示情報の例を示す図である。
【図１８】本実施の形態２において、分電盤に対して電池パックが装着された場合に表示機器のモニタに表示される表示情報の例を示す図である。
【図１９】本実施の形態２において、分電盤に対して電池パックが装着された場合に表示機器のモニタに表示される表示情報の他の例を示す図である。
【図２０】本開示の実施の形態３における情報提供システムの概略構成を示す図である。
【図２１】本開示の実施の形態３における電池パック、表示機器及びクラウドサーバの構成を示す機能ブロック図である。
【図２２】本実施の形態３において電池パック管理データベースに記憶されるデータの一例を示す図である。
【図２３】本実施の形態３において、表示機器のモニタに表示される表示情報の一例を示す図である。
【図２４】本実施の形態４において、カバーを開けた状態の分電盤の外観を示す図である。
【図２５】本実施の形態４において、カバーを閉じた状態の分電盤の外観を示す図である。
【図２６】本実施の形態４において、ユーザによって選択された電池パックに関する情報と、現在の電池パックを装着した場合に動作可能な機器を示す情報とを含む表示情報の例を示す図である。
【図２７】本実施の形態４において、ユーザによって選択された電池パックに関する情報と、現在の電池パックを装着した場合に動作可能な機器を示す情報と、現在の電池パックを装着した場合に動作しない機器を示す情報とを含む表示情報の例を示す図である。
【図２８】サービスの類型１（自社データセンタ型クラウドサービス）における情報提供システムが提供するサービスの全体像を示す図である。
【図２９】サービスの類型２（ＩａａＳ利用型クラウドサービス）における情報提供システムが提供するサービスの全体像を示す図である。
【図３０】サービスの類型３（ＰａａＳ利用型クラウドサービス）における情報提供システムが提供するサービスの全体像を示す図である。
【図３１】サービスの類型４（ＳａａＳ利用型クラウドサービス）における情報提供システムが提供するサービスの全体像を示す図である。
【発明を実施するための形態】
【００１０】
（本開示の基礎となった知見）
特許文献１では、電子機器が、電池パックの装着を検知し、装着が検知された電池パックの不具合に関する情報を検出し、検出された情報に基づき電池パックの不具合を判断し、不具合があると判断された電池パックに関する注意画像情報を表示させている。このとき、注意画像情報は、電子機器が備える表示手段に表示される。
【００１１】
上記の従来の技術では、家庭内の種々の家電機器に電池パックが装着され、複数の電池パックのそれぞれを複数のユーザで共有することについては検討されておらず、どの家電機器にどの電池パックが装着されているかを容易に把握することが困難である。
【００１２】
また、従来の技術では、電子機器に装着された電池パックの状態を確認することができるが、他の電子機器に装着された他の電池パックの状態を確認することは困難であり、複数の電池パックの状態を容易に把握することは困難である。
【００１３】
このような課題を解決するために、本発明者らは、以下の態様に係る発明を想到するに至った。
【００１４】
本開示の第１形態は、複数の機器に装着可能な電池パックの装着状況について、表示機器に情報を提供する情報提供方法であって、前記表示機器が、表示機器に紐付けられた複数の前記電池パックの装着状況を前記表示機器に表示する要求を受け付けるステップ（ａ）と、前記要求を受け付けると、前記表示機器の表示画面に、前記表示機器に紐付けられた前記複数の機器のそれぞれについて前記蓄電池パックが装着されているか否かを示す情報を表示するステップ（ｂ）とを備える、情報提供方法を提供する。
【００１５】
（提供するサービスの全体像）
まず、本実施の形態における情報管理システムが提供するサービスの全体像について説明する。
【００１６】
図１（Ａ）は、本実施の形態における制御システムが提供するサービスの全体像を示す図である。制御システムは、グループ１００、データセンタ運営会社１１０及びサービスプロバイダ１２０を備える。
【００１７】
グループ１００は、例えば企業、団体又は家庭等であり、その規模を問わない。グループ１００には、機器Ａ、機器Ｂ及び機器Ｃを含む複数の機器１０１と、ホームゲートウェイ１０２と、複数の電池パック１０３と、分電盤１０４と、表示機器１０５とが存在する。複数の機器１０１は、インターネットと接続可能な機器（例えば、スマートフォン、パーソナルコンピュータ（ＰＣ）又はテレビ等）、及びそれ自身ではインターネットと接続不可能な機器（例えば、照明機器、洗濯機又は冷蔵庫等）を含む。複数の機器１０１は、それ自身ではインターネットと接続不可能な機器であっても、ホームゲートウェイ１０２を介してインターネットと接続可能となる機器を含んでもよい。また、ユーザ１０は、グループ１００内の複数の機器１０１を使用する。
【００１８】
また、機器Ａ，Ｂは、例えば、洗濯機、冷蔵庫及び掃除機等のような建物内で使用される機器であり、機器Ｃは、例えば、自動車及び自転車等のような建物外で使用される機器である。
【００１９】
複数の電池パック１０３は、複数の機器１０１又は分電盤１０４に装着され、複数の機器１０１又は分電盤１０４の電源として機能する。
【００２０】
分電盤１０４は、系統電源から供給される電力を建物に設けられる負荷（複数の機器１０１）に供給する。系統電源は、電力会社が提供する電力提供システムである。また、分電盤１０４は、装着された電池パック１０３を充電するとともに、停電時において電池パック１０３から供給される電力を負荷（複数の機器１０１）に供給する。
【００２１】
表示機器１０５は、表示機能を有する機器である。表示機器１０５は、例えば、スマートフォン、パーソナルコンピュータ、タブレット型端末、携帯電話機、テレビ、又はグループ１００内に配置された各機器を制御するホームコントローラなどである。換言すれば、表示機器１０５は、表示器（図示せず）を備える情報端末である。
【００２２】
データセンタ運営会社１１０は、クラウドサーバ１１１を備える。クラウドサーバ１１１は、インターネットを介して様々な機器と連携する仮想化サーバである。クラウドサーバ１１１は、主に通常のデータベース管理ツール等で扱うことが困難な巨大なデータ（ビッグデータ）等を管理する。データセンタ運営会社１１０は、データの管理、クラウドサーバ１１１の管理、及びそれらを行うデータセンタの運営等を行っている。データセンタ運営会社１１０が行っている役務の詳細については後述する。
【００２３】
ここで、データセンタ運営会社１１０は、データの管理又はクラウドサーバ１１１の運営等のみを行っている会社に限らない。例えば、図１（Ｂ）に示すように、複数の機器１０１のうちの一つの機器を開発及び製造している機器メーカが、データの管理又はクラウドサーバ１１１の管理等を行っている場合は、機器メーカがデータセンタ運営会社１１０に該当する。また、データセンタ運営会社１１０は一つの会社に限らない。例えば、図１（Ｃ）に示すように、機器メーカ及び他の管理会社が共同又は分担してデータの管理又はクラウドサーバ１１１の運営を行っている場合は、両者又はいずれか一方がデータセンタ運営会社１１０に該当する。
【００２４】
サービスプロバイダ１２０は、サーバ１２１を備える。ここで言うサーバ１２１とは、その規模は問わず、例えば、個人用ＰＣ内のメモリ等も含む。また、サービスプロバイダ１２０がサーバ１２１を備えていない場合もある。
【００２５】
なお、上記サービスにおいて、ホームゲートウェイ１０２は必須ではない。例えば、クラウドサーバ１１１が全てのデータ管理を行っている場合等は、ホームゲートウェイ１０２は不要となる。また、家庭内のあらゆる機器がインターネットに接続されている場合のように、それ自身ではインターネットと接続不可能な機器は存在しない場合もある。
【００２６】
なお、表示機器１０５は、複数の機器１０１のうちの一つの機器であってもよい。
【００２７】
次に、上記サービスにおける情報の流れを説明する。
【００２８】
まず、グループ１００の機器Ａ又は機器Ｂは、各ログ情報をデータセンタ運営会社１１０のクラウドサーバ１１１に送信する。クラウドサーバ１１１は、機器Ａ又は機器Ｂのログ情報を集積する（図１（Ａ）の矢印１３１）。ここで、ログ情報とは、複数の機器１０１の例えば運転状況又は動作日時等を示す情報である。例えば、ログ情報は、テレビの視聴履歴、レコーダーの録画予約情報、洗濯機の運転日時、洗濯物の量、冷蔵庫の開閉日時又は冷蔵庫の開閉回数などを含むが、これらの情報に限らず、種々の機器から取得が可能な種々の情報を含んでもよい。なお、ログ情報は、インターネットを介して複数の機器１０１自体から直接クラウドサーバ１１１に提供されてもよい。また、ログ情報は、複数の機器１０１から一旦ホームゲートウェイ１０２に集積され、ホームゲートウェイ１０２からクラウドサーバ１１１に提供されてもよい。
【００２９】
また、クラウドサーバ１１１は、複数の電池パック１０３のそれぞれのログ情報を集積する（図１（Ａ）の矢印１３１）。ここで、ログ情報は、例えば、電池パックを識別するための電池識別子及び電池パックが装着されている機器を識別するための機器識別子を含む。なお、ログ情報は、インターネットを介して複数の電池パック１０３自体から直接クラウドサーバ１１１に提供されてもよい。また、ログ情報は、複数の電池パック１０３から一旦ホームゲートウェイ１０２に集積され、ホームゲートウェイ１０２からクラウドサーバ１１１に提供されてもよい。さらに、ログ情報は、電池パック１０３から、当該電池パック１０３が装着されている機器１０１に出力され、当該機器１０１からクラウドサーバ１１１に提供されてもよい。
【００３０】
次に、データセンタ運営会社１１０のクラウドサーバ１１１は、集積したログ情報を一定の単位でサービスプロバイダ１２０に提供する。ここで、一定の単位とは、データセンタ運営会社１１０が集積した情報を整理してサービスプロバイダ１２０に提供することのできる単位でもよいし、サービスプロバイダ１２０が要求する単位でもよい。また、一定の単位で提供するとしているが、一定の単位でなくてもよく、状況に応じて提供する情報量が変化してもよい。ログ情報は、必要に応じてサービスプロバイダ１２０が保有するサーバ１２１に保存される（図１（Ａ）の矢印１３２）。
【００３１】
そして、サービスプロバイダ１２０は、ログ情報をユーザに提供するサービスに適合する情報に整理し、ユーザに提供する。サービスが提供されるユーザは、複数の機器１０１を使用するユーザ１０でもよいし、外部のユーザ２０でもよい。ユーザ１０，２０へのサービス提供方法としては、例えば、サービスプロバイダ１２０から直接ユーザ１０，２０へサービスが提供されてもよい（図１（Ａ）の矢印１３３，１３４）。また、ユーザ１０へのサービス提供方法としては、例えば、データセンタ運営会社１１０のクラウドサーバ１１１を再度経由して、ユーザ１０にサービスが提供されてもよい（図１（Ａ）の矢印１３５，１３６）。また、データセンタ運営会社１１０のクラウドサーバ１１１は、ログ情報をユーザに提供するサービスに適合する情報に整理し、サービスプロバイダ１２０に提供してもよい。
【００３２】
なお、ユーザ１０は、ユーザ２０と異なっていても同一であってもよい。
【００３３】
以上、サービスの全体像に関しては以下で説明する各実施の形態において共通であるので、以下同じ符号を用いて各実施の形態の説明をする。
【００３４】
なお、以下で説明する実施の形態は、いずれも本開示の一具体例を示すものである。以下の実施の形態で示される数値、形状、構成要素、ステップ及びステップの順序などは、一例であり、本開示を限定する主旨ではない。また、以下の実施の形態における構成要素のうち、最上位概念を示す独立請求項に記載されていない構成要素については、任意の構成要素として説明される。また、全ての実施の形態において、各々の内容を組み合わせることもできる。
【００３５】
（実施の形態１）
図２は、本開示の実施の形態１における情報提供システムの概略構成を示す図である。
【００３６】
図２に示すように、複数の電池パック１０３のそれぞれは、複数の機器１０１のうちのいずれかの機器へ装着されると、ネットワーク上に配置されたクラウドサーバ１１１（又はサーバ１２１）にログ情報を送信する。また、複数の電池パック１０３のそれぞれは、分電盤１０４に装着されると、ネットワーク上に配置されたクラウドサーバ１１１（又はサーバ１２１）にログ情報を送信する。
【００３７】
なお、複数の機器の種別はそれぞれ異なっている。また、種別の異なる複数の機器は、同一の種別であっても、品番が異なる機器又は形状が異なる機器を含む。
【００３８】
クラウドサーバ１１１（又はサーバ１２１）は、電池パック１０３が複数の機器１０１のうちのいずれかの機器へ装着された際に、電池パック１０３を識別するための電池識別子及び電池パック１０３が装着された機器を識別するための機器識別子を含むログ情報を取得する。クラウドサーバ１１１（又はサーバ１２１）は、電池識別子に紐付けられた表示機器１０５に対して、取得した電池識別子に対応する電池パックが取得した機器識別子に対応する機器に装着されていることを示す情報を表示するように制御する。
【００３９】
表示機器１０５は、電池識別子に対応する電池パックが取得した機器識別子に対応する機器に装着されていることを示す情報を表示する。
【００４０】
図３は、本開示の実施の形態１における情報提供システムのハードウェア構成を示す図である。
【００４１】
図３に示すように、情報提供システムは、機器１０１、電池パック１０３、分電盤１０４、表示機器１０５及びクラウドサーバ１１１を備える。なお、機器１０１は、複数の機器のうちの１つの機器を示し、電池パック１０３は、複数の電池パックのうちの１つの電池パックを示す。
【００４２】
機器１０１は、接続端子２０１、通信部２０２、制御部２０３及び記憶部２０４を備える。
【００４３】
接続端子２０１は、電池パック１０３と接続するための接続端子である。接続端子２０１を介して電池パック１０３から電力が供給される。機器１０１には、電池パック１０３を収納するための収納部（不図示）が設けられている。収納部に電池パック１０３が装着されることにより、電池パック１０３の接続端子２１２と機器１０１の接続端子２０１とが機械的及び電気的に接続される。
【００４４】
通信部２０２は、ネットワークを介してクラウドサーバ１１１に情報を送信するとともに、ネットワークを介してクラウドサーバ１１１から情報を受信する。また、通信部２０２は、ネットワークを介して電池パック１０３に情報を送信するとともに、ネットワークを介して電池パック１０３から情報を受信する。通信部２０２とクラウドサーバ１１１との間のネットワークは、通信部２０２と電池パック１０３との間のネットワークと同じであっても、異なっていてもよい。通信部２０２とクラウドサーバ１１１との間のネットワークは、例えばインターネットである。また、通信部２０２と電池パック１０３との間のネットワークは、例えばインターネット又は無線ＬＡＮ（Ｌｏｃａｌ  Ａｒｅａ  Ｎｅｔｗｏｒｋ）である。また、通信部２０２は、接続端子２０１を介して電池パック１０３と通信してもよい。なお、機器１０１は、通信部２０２を備えていなくてもよい。
【００４５】
制御部２０３は、例えばＣＰＵ（中央演算処理装置）で構成され、機器１０１の全体を制御する。
【００４６】
記憶部２０４は、機器１０１を識別するための機器識別子を予め記憶する。なお、記憶部２０４は、機器１０１のログ情報を記憶してもよい。
【００４７】
なお、機器１０１が備える構成は、接続端子２０１、通信部２０２、制御部２０３及び記憶部２０４のみに限定されない。機器１０１は、機器本来の機能を実現するための構成をさらに備える。
【００４８】
電池パック１０３は、蓄電池２１１、接続端子２１２、充電回路２１３、放電回路２１４、制御部２１５、通信部２１６、記憶部２１７及び装着検知部２１８を備える。
【００４９】
蓄電池２１１は、例えばリチウムイオン二次電池で構成され、電気を蓄える。
【００５０】
接続端子２１２は、機器１０１又は分電盤１０４と接続するための接続端子である。蓄電池２１１が放電される場合、接続端子２１２を介して機器１０１又は分電盤１０４に電力が供給される。また、蓄電池２１１が充電される場合、接続端子２１２を介して分電盤１０４から電力が供給される。
【００５１】
装着検知部２１８は、電池パック１０３が機器１０１又は分電盤１０４に装着されたことを検知する。すなわち、装着検知部２１８は、電池パック１０３の接続端子２１２と、機器１０１の接続端子２０１又は分電盤１０４の接続端子２２１とが接触したことを電気的又は物理的に検知する。また、装着検知部２１８は、電池パック１０３が機器１０１又は分電盤１０４から脱着されたことを検知する。すなわち、装着検知部２１８は、接触していた電池パック１０３の接続端子２１２と、機器１０１の接続端子２０１又は分電盤１０４の接続端子２２１とが離れたことを電気的又は物理的に検知する。
【００５２】
充電回路２１３は、接続端子２１２を介して入力される電力を用いて蓄電池２１１を充電する。
【００５３】
放電回路２１４は、蓄電池２１１から放電される電力を出力する。
【００５４】
制御部２１５は、例えばＣＰＵで構成され、電池パック１０３の全体を制御する。
【００５５】
通信部２１６は、ネットワークを介してクラウドサーバ１１１に情報を送信するとともに、ネットワークを介してクラウドサーバ１１１から情報を受信する。また、通信部２１６は、ネットワークを介して機器１０１に情報を送信するとともに、ネットワークを介して電池パック１０３から情報を受信する。通信部２１６とクラウドサーバ１１１との間のネットワークは、通信部２１６と機器１０１との間のネットワークと同じであっても、異なっていてもよい。通信部２１６とクラウドサーバ１１１との間のネットワークは、例えばインターネットである。また、通信部２１６と機器１０１との間のネットワークは、例えばインターネット又は無線ＬＡＮである。また、通信部２１６は、接続端子２１２を介して機器１０１と通信してもよい。
【００５６】
記憶部２１７は、電池パック１０３を識別するための電池識別子を予め記憶する。
【００５７】
分電盤１０４は、接続端子２２１、制御部２２２、電力供給部２２３、通信部２２４及び記憶部２２５を備える。
【００５８】
接続端子２２１は、電池パック１０３と接続するための接続端子である。接続端子２２１を介して電池パック１０３から電力が供給される。分電盤１０４には、電池パック１０３を収納するための収納部（不図示）が設けられている。収納部に電池パック１０３が装着されることにより、電池パック１０３の接続端子２１２と分電盤１０４の接続端子２２１とが機械的及び電気的に接続される。なお、１つの電池パック１０３が分電盤１０４に装着されるとは限らず、複数の電池パック１０３が分電盤１０４に装着されてもよい。
【００５９】
制御部２２２は、例えばＣＰＵで構成され、分電盤１０４の全体を制御する。
【００６０】
電力供給部２２３は、系統電源からの電力を建物に設けられる負荷（複数の機器１０１）に供給する。電池パック１０３が充電される場合、電力供給部２２３は、電池パック１０３に電力を供給する。例えば停電時において系統電源から電力が供給されない場合、電力供給部２２３は、電力の供給源を系統電源から電池パック１０３に切り替え、電池パック１０３からの電力を建物に設けられる負荷（複数の機器１０１）に供給する。
【００６１】
なお、電力供給部２２３は、系統電源から電力が供給されない場合、全ての機器１０１に電池パック１０３からの電力を供給する必要はなく、電力が常に供給されるべき機器１０１のみに電池パック１０３からの電力を供給してもよい。電力が常に供給されるべき機器１０１としては、例えば冷蔵庫などが挙げられる。
【００６２】
通信部２２４は、ネットワークを介してクラウドサーバ１１１に情報を送信するとともに、ネットワークを介してクラウドサーバ１１１から情報を受信する。また、通信部２２４は、ネットワークを介して電池パック１０３に情報を送信するとともに、ネットワークを介して電池パック１０３から情報を受信する。通信部２２４とクラウドサーバ１１１との間のネットワークは、通信部２２４と電池パック１０３との間のネットワークと同じであっても、異なっていてもよい。通信部２２４とクラウドサーバ１１１との間のネットワークは、例えばインターネットである。また、通信部２２４と電池パック１０３との間のネットワークは、例えばインターネット又は無線ＬＡＮ（Ｌｏｃａｌ  Ａｒｅａ  Ｎｅｔｗｏｒｋ）である。また、通信部２２４は、接続端子２２１を介して電池パック１０３と通信してもよい。なお、分電盤１０４は、通信部２２４を備えていなくてもよい。
【００６３】
記憶部２２５は、分電盤１０４を識別するための機器識別子を予め記憶する。
【００６４】
表示機器１０５は、制御部２５１、通信部２５２、メモリ２５３、スピーカ２５４、マイク２５５、モニタ２５６及び入力部２５７を備える。
【００６５】
制御部２５１は、例えばＣＰＵで構成され、表示機器１０５の全体を制御する。
【００６６】
通信部２５２は、ネットワークを介してクラウドサーバ１１１に情報を送信するとともに、ネットワークを介してクラウドサーバ１１１から情報を受信する。通信部２５２とクラウドサーバ１１１との間のネットワークは、例えばインターネットである。
【００６７】
メモリ２５３は、種々の情報を記憶する。スピーカ２５４は、音声を出力する。マイク２５５は、音声を取得する。モニタ２５６は、例えば液晶表示装置で構成され、種々の情報を表示する。入力部２５７は、ユーザによる入力を受け付ける。なお、表示機器１０５は、メモリ２５３、スピーカ２５４、マイク２５５及び入力部２５７を備えていなくてもよい。
【００６８】
クラウドサーバ１１１は、制御部２３１、通信部２３２及び記憶部２３３を備える。
【００６９】
制御部２３１は、例えばＣＰＵで構成され、クラウドサーバ１１１の全体を制御する。
【００７０】
通信部２３２は、ネットワークを介してクラウドサーバ１１１に情報を送信するとともに、ネットワークを介してクラウドサーバ１１１から情報を受信する。通信部２３２とクラウドサーバ１１１との間のネットワークは、例えばインターネットである。
【００７１】
記憶部２３３は、機器１０１によって送信されたログ情報及び電池パック１０３によって送信されたログ情報を記憶する。
【００７２】
図４は、本開示の実施の形態１における電池パック、表示機器及びクラウドサーバの構成を示す機能ブロック図である。
【００７３】
電池パック１０３は、装着検知手段３０１、識別子取得手段３０２及びログ情報送信手段３０３を備える。なお、図３に示す装着検知部２１８は装着検知手段３０１を有しており、図３に示す制御部２１５は識別子取得手段３０２を有しており、図３に示す通信部２１６はログ情報送信手段３０３を有している。また、図３の構成と同じ構成については、同じ符号を付し、説明を省略する。
【００７４】
識別子取得手段３０２は、電池パック１０３が装着された機器１０１から、機器１０１を識別するための機器識別子を取得するとともに、電池パック１０３を識別するための電池識別子を取得する。
【００７５】
ログ情報送信手段３０３は、識別子取得手段３０２によって取得された機器識別子と電池識別子とを含むログ情報をクラウドサーバ１１１へ送信する。なお、ログ情報は、機器識別子及び電池識別子に加えて、ユーザの世帯を識別するためのユーザ世帯識別子と、電池パック１０３が装着されたか脱着されたかを示す装着状況と、電池パック１０３が装着又は脱着された日時を示す日時情報とを含んでもよい。ユーザ世帯識別子は、電池パック１０３の記憶部２１７に予め記憶されており、装着状況は、装着検知手段３０１によって検知され、日時情報は、電池パック１０３が装着又は脱着された際に計時部（不図示）から取得される。装着状況及び日時情報も記憶部２１７に記憶される。つまり、ログ情報送信手段３０３により送信される上記ログ情報は、記憶部２１７に記憶される。
【００７６】
クラウドサーバ１１１は、ログ情報受信手段４０１、電池パック管理データベース４０２、装着機器特定手段４０３、装着電池特定手段４０４、対象表示機器選択手段４０５、表示情報生成手段４０６及び表示情報送信手段４０７を備える。なお、図３に示す通信部２３２はログ情報受信手段４０１及び表示情報送信手段４０７を有しており、図３に示す記憶部２３３は電池パック管理データベース４０２を有しており、図３に示す制御部２３１は装着機器特定手段４０３、装着電池特定手段４０４、対象表示機器選択手段４０５及び表示情報生成手段４０６を有している。
【００７７】
ログ情報受信手段４０１は、電池パック１０３によって送信されたログ情報を受信する。ログ情報受信手段４０１は、電池パック１０３が複数の機器のうちのいずれかの機器へ装着された際に、電池パック１０３を識別するための電池識別子及び電池パック１０３が装着された機器を識別するための機器識別子を取得する。
【００７８】
電池パック管理データベース４０２は、ログ情報受信手段４０１によって受信されたログ情報に含まれる機器識別子及び電池識別子をユーザの世帯（グループ）毎に記憶する。
【００７９】
図５は、本実施の形態１において電池パック管理データベースに記憶されるデータの一例を示す図である。
【００８０】
図５に示すように、電池パック管理データベース４０２は、ユーザ世帯ＩＤ（ユーザ世帯識別子）に対応付けて、電池パックＩＤ（電池識別子）、機器ＩＤ（機器識別子）、装着状況及び日時情報を記憶する。例えば、ユーザ世帯ＩＤ“０ＸＸ１６８”に対応する家庭では、２０１３年１２月１７日１０時５８分に電池パックＩＤ“１”に対応する電池パックが機器ＩＤ“ＸＸ０１”に対応する機器に装着されたことがわかる。なお、ユーザ世帯ＩＤ（ユーザ世帯識別子）は、受信したログ情報に含まれていてもよい。また、記憶部２３３は、電池パックＩＤ（電池識別子）又は機器ＩＤ（機器識別子）とユーザ世帯ＩＤ（ユーザ世帯識別子）とを対応付けたテーブルを予め記憶してもよく、ログ情報受信手段４０１は、受信したログ情報に含まれる電池パックＩＤ又は機器ＩＤに対応するユーザ世帯ＩＤをテーブルから取得して、電池パック管理データベース４０２に記憶してもよい。
【００８１】
装着機器特定手段４０３は、電池パック１０３が装着された機器１０１を特定する。
【００８２】
装着電池特定手段４０４は、機器１０１に装着された電池パック１０３を特定する。
【００８３】
対象表示機器選択手段４０５は、電池パックＩＤに紐付けられた表示機器を選択する。すなわち、記憶部２３３は、電池パックＩＤと表示機器１０５とを対応付けたテーブルを予め記憶している。対象表示機器選択手段４０５は、受信したログ情報に含まれる電池パックＩＤに対応する表示機器１０５をテーブルから取得する。
【００８４】
なお、記憶部２３３は、機器ＩＤと表示機器１０５とを対応付けたテーブルを予め記憶してもよい。対象表示機器選択手段４０５は、受信したログ情報に含まれる機器ＩＤに対応する表示機器１０５をテーブルから取得してもよい。
【００８５】
表示情報生成手段４０６は、表示機器１０５に表示すべき、取得した電池識別子に対応する電池パックが取得した機器識別子に対応する機器に装着されていることを示す表示情報を生成する。
【００８６】
表示情報送信手段４０７は、表示情報生成手段４０６によって生成された表示情報を、対象表示機器選択手段４０５によって選択された表示機器１０５に送信する。これにより、表示情報送信手段４０７は、電池識別子に紐付けられた表示機器１０５に対して、取得した電池識別子に対応する電池パックが取得した機器識別子に対応する機器に装着されていることを示す情報を表示するように制御する。また、表示情報送信手段４０７は、電池パック１０３が複数の機器のうちいずれかの機器へ装着された際に、電池識別子に紐付けられた表示機器１０５に対して、取得した電池識別子に対応する電池パックが取得した機器識別子に対応する機器に装着されていることを示す情報を表示するように制御する。
【００８７】
表示機器１０５は、表示情報受信手段５０１及び情報表示手段５０２を備える。
【００８８】
表示情報受信手段５０１は、クラウドサーバ１１１によって送信された表示情報を受信する。
【００８９】
情報表示手段５０２は、表示情報受信手段５０１によって受信された表示情報をモニタ２５６に表示する。
【００９０】
図６は、本開示の実施の形態１における情報提供システムの動作を示すシーケンス図である。
【００９１】
まず、ステップＳ１において、電池パック１０３の装着検知手段３０１は、電池パック１０３が機器１０１に装着されたことを検知する。装着検知手段３０１は、例えば、次のようにして機器１０１に装着されたことを検知する。電池パック１０３が機器１０１に装着されると、電池パック１０３から機器１０１の制御部２０３に電力が供給される。機器１０１の制御部２０３は、通信部２０２を介して電池パック１０３と通信可能にするため、電池パック１０３との通信ラインの電圧を所定値以上に上昇させる。電池パック１０３は、この信号（上昇した電圧）で機器１０１に正常に接続されたことを検知する。なお、上記は一例であり、装着検知手段３０１が機器１０１に装着されたことを検知する方法は、上記方法に限定されるものではない。
【００９２】
次に、ステップＳ２において、電池パック１０３の識別子取得手段３０２は、装着された機器１０１に対し、機器識別子を要求するための要求信号を、通信部２１６を介して送信する。機器１０１の通信部２０２は、電池パック１０３によって送信された要求信号を受信する。
【００９３】
次に、ステップＳ３において、機器１０１の制御部２０３は、機器識別子を記憶部２０４から読み出し、通信部２０２を介して電池パック１０３に送信する。電池パック１０３の通信部２１６は、機器１０１によって送信された機器識別子を受信する。
【００９４】
次に、ステップＳ４において、電池パック１０３の識別子取得手段３０２は、通信部２１６によって受信された機器識別子を取得するとともに、記憶部２１７に記憶されている電池識別子を取得する。
【００９５】
次に、ステップＳ５において、電池パック１０３のログ情報送信手段３０３は、識別子取得手段３０２によって取得された機器識別子及び電池識別子を含むログ情報を生成し、生成したログ情報をクラウドサーバ１１１に送信する。クラウドサーバ１１１のログ情報受信手段４０１は、電池パック１０３によって送信されたログ情報を受信する。
【００９６】
次に、ステップＳ６において、クラウドサーバ１１１の装着機器特定手段４０３は、ログ情報受信手段４０１によって受信されたログ情報に含まれる機器識別子に基づいて、電池パック１０３が装着された機器１０１を特定する。
【００９７】
次に、ステップＳ７において、クラウドサーバ１１１の装着電池特定手段４０４は、ログ情報受信手段４０１によって受信されたログ情報に含まれる電池識別子に基づいて、機器１０１に装着した電池パック１０３を特定する。
【００９８】
次に、ステップＳ８において、クラウドサーバ１１１の対象表示機器選択手段４０５は、ログ情報受信手段４０１によって受信されたログ情報に含まれる電池識別子に基づいて、当該電池識別子に紐付けられている表示機器を選択する。なお、１つの電池識別子に紐付けられている表示機器は、１つに限定されず、複数の表示機器が、１つの電池識別子に紐付けられていてもよい。
【００９９】
次に、ステップＳ９において、クラウドサーバ１１１の表示情報生成手段４０６は、装着電池特定手段４０４によって特定された電池パックが、装着機器特定手段４０３によって特定された機器に装着されていることを報知するための表示情報を生成する。
【０１００】
次に、ステップＳ１０において、クラウドサーバ１１１の表示情報送信手段４０７は、表示情報生成手段４０６によって生成された表示情報を、対象表示機器選択手段４０５によって選択された表示機器１０５へ送信する。表示機器１０５の表示情報受信手段５０１は、クラウドサーバ１１１によって送信された表示情報を受信する。
【０１０１】
次に、ステップＳ１１において、表示機器１０５の情報表示手段５０２は、表示情報受信手段５０１によって受信された表示情報をモニタ２５６に表示する。
【０１０２】
図７は、本実施の形態１において、表示機器のモニタに表示される表示情報の一例を示す図である。
【０１０３】
装着機器特定手段４０３は、ログ情報に含まれる機器識別子に基づいて、電池パック１０３が装着された機器１０１が自動車であると特定する。また、装着電池特定手段４０４は、ログ情報に含まれる電池識別子に基づいて、機器１０１に装着した電池パック１０３が７号機であると特定する。その結果、表示情報生成手段４０６は、“自動車に電池パック０７号機が装着されました”という表示情報を生成する。
【０１０４】
そして、表示機器１０５の情報表示手段５０２は、“自動車に電池パック０７号機が装着されました”という表示情報６０１をモニタ２５６に表示する。
【０１０５】
なお、本実施の形態では、電池パックが機器に装着された場合の動作について説明しているが、電池パックが分電盤に装着された場合についても上記と同様の動作が行われる。
【０１０６】
また、本実施の形態では、電池パックが機器に装着された場合の動作について説明しているが、電池パックが機器から脱着された場合についても上記と同様の動作が行われる。
【０１０７】
なお、本実施の形態では、電池パックが機器又は分電盤に装着されたタイミングで、電池パックが機器又は分電盤に装着されたことがクラウドサーバ１１１から表示機器１０５に通知されるが、さらに、電池パックの装着状況を確認する要求を表示機器から受け付けたタイミングで、電池パックの装着状況をクラウドサーバ１１１から表示機器１０５に通知してもよい。
【０１０８】
続いて、本開示の実施の形態１の変形例における情報提供システムについて説明する。上記の実施の形態１では、クラウドサーバ１１１は、電池パックが複数の機器のうちいずれかの機器へ装着された際に、電池識別子に紐付けられた表示機器に対して、取得した電池識別子に対応する電池パックが取得した機器識別子に対応する機器に装着されていることを示す情報を表示するように制御している。これに対し、実施の形態１の変形例では、クラウドサーバ１１１は、表示機器に紐付けられている電池識別子に対応する電池パックの装着状況を表示するための要求を受け付けた際に、電池識別子に紐付けられた表示機器に対して、取得した電池識別子に対応する電池パックが取得した機器識別子に対応する機器に装着されていることを示す情報を表示するように制御する。
【０１０９】
図８は、本開示の実施の形態１の変形例における電池パック、表示機器及びクラウドサーバの構成を示す機能ブロック図である。なお、実施の形態１の変形例における情報提供システムのハードウェア構成は、図３に示す実施の形態１における情報提供システムのハードウェア構成と同じであるので、説明を省略する。また、図８において、図４に示す実施の形態１における電池パック、表示機器及びクラウドサーバと同じ構成については同じ符号を付し、説明を省略する。
【０１１０】
表示機器１０５は、表示情報受信手段５０１、情報表示手段５０２、入力受付手段５０３及び表示要求送信手段５０４を備える。なお、図３に示す入力部２５７は入力受付手段５０３を有しており、図３に示す通信部２５２は表示要求送信手段５０４を有している。
【０１１１】
入力受付手段５０３は、表示機器１０５に紐付けられている電池識別子に対応する電池パックの装着状況を表示するためのユーザによる入力操作を受け付ける。
【０１１２】
表示要求送信手段５０４は、表示機器１０５に紐付けられている電池識別子に対応する電池パックの装着状況を表示するための表示要求をクラウドサーバ１１１へ送信する。
【０１１３】
クラウドサーバ１１１は、ログ情報受信手段４０１、電池パック管理データベース４０２、装着機器特定手段４０３、装着電池特定手段４０４、表示情報生成手段４０６、表示情報送信手段４０７、表示要求受信手段４０８及びログ情報要求送信手段４０９を備える。なお、図３に示す通信部２３２は表示要求受信手段４０８及びログ情報要求送信手段４０９を有している。
【０１１４】
表示要求受信手段４０８は、表示機器１０５によって送信された表示要求を受信する。
【０１１５】
装着電池特定手段４０４は、表示要求を送信した表示機器１０５に紐付けられている電池識別子を取得するとともに、取得した電池識別子に対応する電池パックを特定する。なお、表示要求には、表示機器１０５を識別するための表示機器識別子が含まれ、記憶部２３３は、当該表示機器識別子と電池識別子とを紐付けて記憶している。表示機器識別子と電池識別子との紐付けは、予めユーザによって設定される。
【０１１６】
ログ情報要求送信手段４０９は、装着電池特定手段４０４によって特定された電池パック１０３へログ情報を取得するためのログ情報要求を送信する。なお、ログ情報は、電池識別子及び機器に装着されているか否かを示す装着状況を少なくとも含み、機器に接続されている場合は、機器識別子も含む。
【０１１７】
装着機器特定手段４０３は、ログ情報に含まれる機器識別子に基づいて、電池パック１０３が装着されている機器１０１を特定する。また、装着機器特定手段４０３は、家庭内における電池パックを装着可能な機器を全て特定する。クラウドサーバ１１１の記憶部２３３は、表示機器と、当該表示機器に表示すべき電池パックと、ユーザの家庭に配置された複数の機器のうちの当該電池パックを装着可能な複数の機器とを対応付けたテーブルを予め記憶している。装着機器特定手段４０３は、表示要求を送信した表示機器１０５に対応付けられている複数の機器１０１を特定する。
【０１１８】
表示情報生成手段４０６は、特定された電池パックの装着状況を報知するための表示情報を生成する。このとき、表示情報は、表示機器１０５に表示すべき複数の機器を示す情報と、表示機器１０５に表示すべき電池パックが表示機器１０５に表示すべき複数の機器のうちのどの機器に装着されているかに関する情報とを含む。
【０１１９】
電池パック１０３は、装着検知手段３０１、識別子取得手段３０２、ログ情報送信手段３０３及びログ情報要求受信手段３０４を備える。なお、図３に示す通信部２１６はログ情報要求受信手段３０４を有している。
【０１２０】
ログ情報要求受信手段３０４は、クラウドサーバ１１１によって送信されたログ情報要求を受信する。
【０１２１】
ログ情報送信手段３０３は、ログ情報を取得するとともに、取得したログ情報をクラウドサーバ１１１へ送信する。
【０１２２】
図９は、本開示の実施の形態１の変形例における情報提供システムの動作を示すシーケンス図である。
【０１２３】
まず、ステップＳ２１において、表示機器１０５の入力受付手段５０３は、表示機器１０５に紐付けられている電池識別子に対応する電池パックの装着状況を表示するためのユーザによる入力操作を受け付ける。
【０１２４】
次に、ステップＳ２２において、表示機器１０５の表示要求送信手段５０４は、表示機器１０５に紐付けられている電池識別子に対応する電池パックの装着状況を表示するための表示要求をクラウドサーバ１１１へ送信する。クラウドサーバ１１１の表示要求受信手段４０８は、表示機器１０５によって送信された表示要求を受信する。
【０１２５】
次に、ステップＳ２３において、クラウドサーバ１１１の装着電池特定手段４０４は、表示要求を送信した表示機器１０５に紐付けられている電池識別子を取得するとともに、取得した電池識別子に対応する電池パックを特定する。ここで、表示要求を送信した表示機器１０５には、例えば３つの電池識別子が紐付けられており、この３つの電池識別子は、それぞれ第１の電池パック１０３ａ、第２の電池パック１０３ｂ及び第３の電池パック１０３ｃに対応している。
【０１２６】
次に、ステップＳ２４において、クラウドサーバ１１１のログ情報要求送信手段４０９は、特定された電池パック１０３（第１の電池パック１０３ａ、第２の電池パック１０３ｂ及び第３の電池パック１０３ｃ）へログ情報を取得するためのログ情報要求を送信する。第１の電池パック１０３ａ、第２の電池パック１０３ｂ及び第３の電池パック１０３ｃの各ログ情報要求受信手段３０４は、クラウドサーバ１１１によって送信されたログ情報要求を受信する。
【０１２７】
次に、ステップＳ２５において、第１の電池パック１０３ａ、第２の電池パック１０３ｂ及び第３の電池パック１０３ｃの各ログ情報送信手段３０３は、ログ情報を取得する。ここで、ログ情報は、電池パックの装着時に取得され、記憶部２１７に記憶されている。そのため、ログ情報送信手段３０３は、記憶部２１７からログ情報を読み出すことにより、ログ情報を取得する。
【０１２８】
なお、ログ情報送信手段３０３は、クラウドサーバ１１１からのログ情報要求を受信した際に、装着検知手段３０１により機器に接続されているか否かを確認してもよい。機器に接続されている場合は、識別子取得手段３０２は、機器から機器識別子を取得してもよい。
【０１２９】
次に、ステップＳ２６において、第１の電池パック１０３ａ、第２の電池パック１０３ｂ及び第３の電池パック１０３ｃの各ログ情報送信手段３０３は、取得したログ情報をクラウドサーバ１１１へ送信する。クラウドサーバ１１１のログ情報受信手段４０１は、第１の電池パック１０３ａ、第２の電池パック１０３ｂ及び第３の電池パック１０３ｃのそれぞれによって送信されたログ情報を受信する。
【０１３０】
次に、ステップＳ２７において、クラウドサーバ１１１の装着機器特定手段４０３は、受信されたログ情報に含まれる機器識別子に基づいて、第１の電池パック１０３ａ、第２の電池パック１０３ｂ及び第３の電池パック１０３ｃが装着されている機器１０１を特定するとともに、表示要求を送信した表示機器１０５に対応付けられている複数の機器１０１を特定する。このとき、表示機器１０５に対応付けられている複数の機器１０１の全てに電池パックが装着されているとは限らない。
【０１３１】
次に、ステップＳ２８において、クラウドサーバ１１１の表示情報生成手段４０６は、特定された電池パックの装着状況を報知するための表示情報を生成する。このとき、表示情報は、表示機器１０５に表示すべき複数の機器を示す情報と、表示機器１０５に表示すべき電池パックが表示機器１０５に表示すべき複数の機器のうちのどの機器に装着されているかに関する情報とを含む。
【０１３２】
次に、ステップＳ２９において、クラウドサーバ１１１の表示情報送信手段４０７は、生成された表示情報を、表示要求を送信した表示機器１０５へ送信する。表示機器１０５の表示情報受信手段５０１は、クラウドサーバ１１１によって送信された表示情報を受信する。
【０１３３】
次に、ステップＳ３０において、表示機器１０５の情報表示手段５０２は、受信された表示情報をモニタ２５６に表示する。
【０１３４】
このように、表示機器１０５に紐付けられている電池識別子に対応する電池パック１０３の機器１０１への装着状況を表示するための要求を受け付けた際に、クラウドサーバ１１１は、電池識別子に紐付けられた表示機器に対して、取得した電池識別子に対応する電池パックが取得した機器識別子に対応する機器に装着されていることを示す情報を表示するように制御してもよい。これにより、ユーザは、電池パックが機器に装着されているか否かを確認することができ、機器に装着されている場合は、電池パックがどの機器に装着されているかを確認することができる。
【０１３５】
図１０は、本実施の形態１の変形例において、表示機器のモニタに表示される表示情報の例を示す図である。
【０１３６】
例えば、表示機器１０５には、４つの電池パックが紐付けられているとともに、４つの機器が紐付けられている。４つの電池パックは、それぞれ電池パック２号機、電池パック５号機、電池パック７号機及び電池パック８号機であり、４つの機器は、それぞれ自動車、自転車、掃除機及びトイレ装置である。
【０１３７】
表示機器１０５の情報表示手段５０２は、自動車を示す機器画像１０１１、自転車を示す機器画像１０１２、掃除機を示す機器画像１０１３及びトイレ装置を示す機器画像１０１４を表示する。また、情報表示手段５０２は、機器画像１０１１，１０１２に重畳させて、電池パックの装着状況を示す電池画像１０３１，１０３２，１０３３，１０３４を表示する。図１０に示す電池画像１０３１，１０３２は、それぞれ電池パック２号機及び電池パック７号機を示しており、電池画像１０３３，１０３４は、それぞれ電池パックが装着されていないことを示している。さらに、情報表示手段５０２は、機器画像１０１３，１０１４の周辺に、電池パックの装着状況を示す電池画像１０３５，１０３６を表示する。図９に示す電池画像１０３５，１０３６は、それぞれ電池パック５号機及び電池パック８号機を示している。
【０１３８】
また、図１０に示す表示画面では、電池識別子に対応する電池パックを特定するための情報１０５１，１０５２，１０５３，１０５４がさらに表示される。情報１０５１，１０５２，１０５３，１０５４は、家庭内に存在する複数の電池パックのそれぞれを識別するための名称であり、例えば、“０２”及び“０７”などの番号で表される。“０２”は、電池パック２号機を表し、“０７”は、電池パック７号機を表す。
【０１３９】
このように、クラウドサーバ１１１の制御部２３１は、電池パックが装着された機器を示す機器画像（第１の画像）の周辺に、電池パックの装着状況を示す電池画像（第２の画像）を表示するように制御する。また、クラウドサーバ１１１の制御部２３１は、電池パックが装着された機器を示す機器画像（第１の画像）に重畳させて、電池パックの装着状況を示す電池画像（第２の画像）を表示するように制御する。これにより、電池パックがどの機器に装着されているかをユーザに提示することができる。
【０１４０】
また、クラウドサーバ１１１の制御部２３１は、所定の表示機器から、複数の機器のうちの所定の機器の電池パックの装着状況を表示する要求を受け付けた際に、所定の機器に装着可能な電池パックの数及び電池パックの装着状況に関する情報を取得してもよい。そして、クラウドサーバ１１１の制御部２３１は、取得した情報に基づいて、所定の機器に装着可能な電池パックの数を識別可能に表示すると共に、電池パックが装着されている状態と、電池パックが装着されていない状態とを、互いに異なる表示態様にて表示するように制御してもよい。すなわち、図１０に示すように、機器画像１０１１に対応する機器は、装着可能な電池パックの数が３つであるので、３つの電池画像１０３１，１０３２，１０３３が表示されている。さらに、機器画像１０１１に対応する機器には、２つの電池パックが装着されているので、電池パックが装着されていることを示す電池画像１０３１，１０３２と、電池パックが装着されていないことを示す電池画像１０３３とが表示されている。電池画像１０３１，１０３２は、電池パックを模した画像である。電池画像１０３３は、電池パックが装着されていないことを破線で示している。
【０１４１】
また、電池パックが装着されていることを示す電池画像とともに、家庭内の複数の電池パックのうちの装着されている電池パックを特定するための情報が表示される。図１０に示すように、例えば、電池パックを表す電池画像の上部に電池パックを特定するための情報が表示され、電池画像１０３１の上部には、電池パック２号機に対応する“０２”という番号が表示されている。これにより、各機器に家庭内のどの電池パックが装着されているかを容易に把握することができる。
【０１４２】
なお、本実施の形態では、家庭内における電池パックを装着可能な複数の機器に対する電池パックの装着状況を表示しているが、本開示は特にこれに限定されず、表示機器に紐付けられている電池パックがどの機器に装着されているかのみを表示してもよい。
【０１４３】
また、本実施の形態では、クラウドサーバ１１１は、表示機器１０５から表示要求を受け付けた後、電池パック１０３からログ情報を取得しているが、本開示は特にこれに限定されない。クラウドサーバ１１１は、電池パック１０３が機器１０１に装着された際に、ログ情報を受信し、受信したログ情報を記憶部２３３に記憶してもよい。そして、クラウドサーバ１１１は、表示機器１０５から表示要求を受け付けた際に、記憶部２３３に記憶されているログ情報を読み出し、表示情報を生成してもよい。
【０１４４】
また、本実施の形態では、ユーザにより電池パック１０３の装着状況を表示する要求がなされると、クラウドサーバ１１１に表示要求が送信され、クラウドサーバ１１１の記憶部２３３からログ情報を読み出し、表示情報を生成しているが、これに限定されない。
【０１４５】
上記表示要求が表示装置に紐付けされた電池パック１０３に送信され、表示機器１０５は、電池パック１０３の記憶部２１７よりログ情報を取得し、表示情報を取得してもよい。このとき、上記表示情報は、クラウドサーバ１１１で生成されず、表示機器１０５内で生成される。つまり、表示機器１０５は、表示情報生成手段４０６と同様の機能を備える表示情報生成手段を備える。
【０１４６】
また、本実施の形態では、予め表示機器に紐付けられている複数の機器が表示されるとともに、複数の機器に対する電池パックの装着状況が表示されるが、本開示は特にこれに限定されず、表示機器からクラウドサーバへ送信される表示要求に電池パックの装着状況を表示する機器を指定する情報を含めてもよく、指定された機器が表示されるとともに、指定された機器に対する電池パックの装着状況が表示されてもよい。
【０１４７】
さらに、本実施の形態では、予め表示機器に紐付けられている複数の機器が表示されるが、本開示は特にこれに限定されず、予めユーザ世帯ＩＤと複数の機器とを紐付けておき、ユーザ世帯ＩＤに紐付けられている全ての機器を表示してもよい。この場合、クラウドサーバ１１１は、所定の表示機器から、所定の世帯が所有する複数の機器の電池パックの装着状況を表示する要求を受け付けた際に、所定の世帯が所有する全ての機器のそれぞれに装着可能な電池パックの数及び電池パックの装着状況に関する情報を取得してもよい。そして、クラウドサーバ１１１は、取得した情報に基づいて、所定の世帯が所有する全ての機器のそれぞれに装着可能な電池パックの数を識別可能に表示すると共に、電池パックが装着されている状態と、電池パックが装着されていない状態とを、互いに異なる表示態様にて表示するように制御してもよい。
【０１４８】
また、クラウドサーバ１１１の記憶部２３３は、電池パックと、電池パックが装着される少なくとも１つの機器と、電池パックを使用するユーザとを予め対応付けたテーブルを記憶してもよい。また、クラウドサーバ１１１の制御部２３１は、電池パックが複数の機器のうちいずれかの機器へ装着された際に、テーブルを参照して、電池パックが装着された機器が、電池パックのユーザに予め対応付けられている機器であるか否かを判断してもよい。さらに、クラウドサーバ１１１の制御部２３１は、電池パックが装着された機器が、電池パックのユーザに予め対応付けられている機器ではない場合、電池パックのユーザに紐付けられた表示機器に対して、電池パックが電池パックに予め対応付けられている機器に装着されていないことを示す情報を表示するように制御してもよい。
【０１４９】
これにより、予め登録されている機器とは異なる機器に電池パックが装着された場合、電池パックのユーザに対して、予め登録されている機器に電池パックが装着されていないことが報知されるので、普段電池パックを使用しているユーザは、他のユーザが電池パックを使用したことを知ることができる。
【０１５０】
また、電池パック１０３は、ＧＰＳ（Ｇｌｏｂａｌ  Ｐｏｓｉｔｉｏｎｉｎｇ  Ｓｙｓｔｅｍ）を備えてもよく、電池パックが機器へ装着された場合に、ＧＰＳから現在位置情報を取得し、取得した現在位置情報をログ情報に含めてクラウドサーバ１１１に送信してもよい。また、クラウドサーバ１１１は、電池パックに紐付けられた表示機器１０５に対して、電池パックの現在位置情報を表示するように制御してもよい。この場合、電池パックを盗難した人物が、盗難した電池パックを機器に装着した際に、電池パックの現在位置がユーザに報知されるので、電池パックのユーザは、盗難された電池パックの現在位置を知ることができる。
【０１５１】
また、電池パック１０３は、ＧＰＳを備えてもよく、所定のタイミングでＧＰＳから現在位置情報を取得し、取得した現在位置情報をクラウドサーバ１１１に送信してもよい。クラウドサーバ１１１は、電池パックに紐付けられた表示機器１０５に対して、電池パックの現在位置情報を表示するように制御してもよい。また、クラウドサーバ１１１は、電池パックに紐付けられた表示機器１０５に対して、電池パックの現在位置情報を、電池パックが装着された機器の現在位置情報として表示するように制御してもよい。
【０１５２】
この場合、電池パックが装着された機器が盗難された場合に、電池パックの現在位置が機器の現在位置情報としてユーザに報知されるので、電池パックのユーザは、盗難された機器の現在位置を知ることができる。
【０１５３】
また、本実施の形態において、電池パック１０３の識別子取得手段３０２は、電池パック１０３が装着された機器１０１から、機器１０１を識別するための機器識別子を取得しているが、本開示は特にこれに限定されない。識別子取得手段３０２は、装着検知手段３０１によって機器１０１に装着されたことが検知されると、所定の電流を機器１０１に流し、抵抗値を測定することにより、機器１０１を識別してもよい。この場合、識別子取得手段３０２は、抵抗値と機器１０１の種類とを予め対応付けて記憶しておき、測定された抵抗値に基づいて機器１０１の種類を特定してもよい。
【０１５４】
また、複数の機器は、負荷の大きさに応じて大負荷の機器、中負荷の機器及び小負荷の機器の３種類に分類してもよい。この場合、電池パック１０３の識別子取得手段３０２は、測定された抵抗値に応じて、装着された機器が大負荷の機器、中負荷の機器及び小負荷の機器のいずれであるかを特定してもよい。
【０１５５】
（実施の形態２）
実施の形態１では、電池パックがどの機器に装着されているかを表示させている。これに対し、実施の形態２では、電池パックがどの機器に装着されているかを表示させるだけでなく、電池パックの充電状態、使用状況及び寿命を表示させる。
【０１５６】
図１１は、本開示の実施の形態２における電池パック、表示機器及びクラウドサーバの構成を示す機能ブロック図である。なお、実施の形態２における情報提供システムのハードウェア構成は、図３に示す実施の形態１における情報提供システムのハードウェア構成と同じであるので、説明を省略する。また、図１１において、図８に示す実施の形態１の変形例における電池パック、表示機器及びクラウドサーバと同じ構成については同じ符号を付し、説明を省略する。
【０１５７】
電池パック１０３は、装着検知手段３０１、識別子取得手段３０２、ログ情報送信手段３０３、ログ情報要求受信手段３０４、充電状態検出手段３０５、使用状況検出手段３０６及び寿命推定手段３０７を備える。なお、図３に示す制御部２１５は充電状態検出手段３０５、使用状況検出手段３０６及び寿命推定手段３０７を有している。
【０１５８】
充電状態検出手段３０５は、電池パック１０３が有する蓄電池２１１に蓄えられる電気の残量を示す充電状態を検出する。
【０１５９】
使用状況検出手段３０６は、電池パック１０３の使用が開始されてから現在までの使用期間を示す電池パック１０３の使用状況を検出する。なお、電池パック１０３の記憶部２１７は、電池パック１０３の使用が開始された年月日を記憶している。例えば、使用状況検出手段３０６は、記憶部２１７に記憶されている電池パック１０３の使用が開始された年月日から使用期間を算出する。
【０１６０】
寿命推定手段３０７は、電池パック１０３が有する蓄電池２１１の寿命を推定する。例えば、寿命推定手段３０７は、蓄電池２１１の充放電サイクルを用いて蓄電池２１１の寿命を推定する。なお、電池パック１０３の記憶部２１７は、蓄電池２１１の充放電サイクルを記憶している。また、充放電サイクルを用いた蓄電池の寿命推定方法については、従来技術を適用することが可能であるので、説明を省略する。
【０１６１】
ログ情報送信手段３０３は、識別子取得手段３０２によって取得された機器識別子及び電池識別子、充電状態検出手段３０５によって検出された充電状態、使用状況検出手段３０６によって検出された使用状況、及び寿命推定手段３０７によって推定された蓄電池２１１の寿命を含むログ情報をクラウドサーバ１１１へ送信する。なお、ログ情報は、さらに、ユーザの世帯を識別するためのユーザ世帯識別子と、電池パック１０３が装着されたか脱着されたかを示す装着状況と、電池パック１０３が装着又は脱着された日時を示す日時情報とを含んでもよい。
【０１６２】
また、本実施の形態では、充電状態、使用状況及び寿命は、電池パック１０３が機器１０１に装着された際に、機器識別子及び電池識別子とともに送信されるが、本開示は特にこれに限定されず、充電状態、使用状況及び寿命は、１日毎又は１時間毎などの所定のタイミングで送信されてもよい。さらに、ログ情報送信手段３０３は、充電状態、使用状況及び寿命を含むログ情報を、表示機器１０５からの要求に応じて送信してもよい。
【０１６３】
クラウドサーバ１１１は、ログ情報受信手段４０１、電池パック管理データベース４０２、装着機器特定手段４０３、装着電池特定手段４０４、表示情報生成手段４０６、表示情報送信手段４０７、表示要求受信手段４０８及びログ情報要求送信手段４０９を備える。
【０１６４】
電池パック管理データベース４０２は、ログ情報受信手段４０１によって受信されたログ情報に含まれる機器識別子、電池識別子、充電状態、使用状況及び寿命をユーザ毎に記憶する。
【０１６５】
表示情報生成手段４０６は、表示機器１０５に表示すべき複数の機器を示す情報と、表示機器１０５に表示すべき電池パックが表示機器１０５に表示すべき複数の機器のうちのどの機器に装着されているかに関する情報とを含む表示情報を生成する。また、表示情報生成手段４０６は、表示機器１０５からの表示要求に応じて、電池パックに関する情報を含む表示情報を生成する。電池パックに関する情報は、充電状態、使用状況及び寿命を含む。
【０１６６】
表示機器１０５は、表示情報受信手段５０１、情報表示手段５０２、入力受付手段５０３及び表示要求送信手段５０４を備える。
【０１６７】
入力受付手段５０３は、電池パックに関する情報を表示するための指示をユーザの入力操作により受け付ける。
【０１６８】
表示要求送信手段５０４は、電池パックに関する情報を表示するための表示要求をクラウドサーバ１１１へ送信する。
【０１６９】
図１２は、本実施の形態２において、表示機器のモニタに表示される表示情報の例を示す図である。
【０１７０】
図１２に示すように、本実施の形態２において表示される表示画面は、図１０に示す実施の形態１の変形例における表示画面とほぼ同じである。ただし、図１２に示す表示画面では、電池パックが装着されていることを示す電池画像１０３１，１０３２，１０３５，１０３６とともに、電池パックの充電状態を示す充電状態画像１０４１，１０４２，１０４３，１０４４が表示される。クラウドサーバ１１１の表示情報生成手段４０６は、電池パックの充電状態を含む表示情報を生成する。図１２に示すように、充電状態は、蓄電池の残量に応じた棒グラフで表される。
【０１７１】
また、図１２に示す表示画面では、電池識別子に対応する電池パックを特定するための情報１０５１，１０５２，１０５３，１０５４がさらに表示される。情報１０５１，１０５２，１０５３，１０５４は、家庭内に存在する複数の電池パックのそれぞれを識別するための名称であり、例えば、“０２”及び“０７”などの番号で表される。“０２”は、電池パック２号機を表し、“０７”は、電池パック７号機を表す。
【０１７２】
このように、クラウドサーバ１１１は、所定の表示機器から、複数の機器のうちの所定の機器の電池パックの装着状況を表示する要求を受け付けた際に、所定の機器に装着されている全ての電池パックの電池識別子と、各々の電池パックが有する蓄電池の残量とを取得する。そして、クラウドサーバ１１１は、取得した電池識別子に対応する電池パックを特定するための情報と、取得した電池識別子に対応する電池パックの残量とを併せて表示するように制御する。
【０１７３】
また、モニタ２５６は、タッチパネルで構成されており、電池パックを示す電池画像１０３１，１０３２，１０３５，１０３６が選択可能に表示される。ユーザの指１１が電池画像１０３１，１０３２，１０３５，１０３６のいずれかに接触すると、接触した電池画像に対応する電池パックに関する情報が表示される。
【０１７４】
入力受付手段５０３は、電池画像１０３１，１０３２，１０３５，１０３６のユーザによる選択を受け付ける。表示要求送信手段５０４は、ユーザによって選択された電池画像に対応する電池パックに関する情報を表示するための表示要求をクラウドサーバ１１１へ送信する。表示情報生成手段４０６は、表示機器１０５からの表示要求に応じて、電池パックに関する情報を含む表示情報を生成する。
【０１７５】
図１３は、本実施の形態２において、ユーザによって選択された電池パックに関する情報を含む表示情報の例を示す図である。図１２に示す電池画像１０３１が選択された場合、図１３に示す表示情報が表示機器１０５のモニタ２５６に表示される。
【０１７６】
図１３に示すように、表示情報は、電池パックを特定する情報２０１１、電池パックの使用期間に関する情報２０１２、電池パックの寿命に関する情報２０１３、電池パックの異常又は劣化の有無に関する情報２０１４、電池パックの使用履歴に関する情報２０１５及び電池パックの充電状態に関する情報２０１６を含む。
【０１７７】
情報２０１１は、家庭内に存在する複数の電池パックのうちのどの電池パックについての情報であるかを表している。図１３では、情報２０１１として“２号機”と表示されている。
【０１７８】
情報２０１２は、電池パックの使用期間を表している。図１３では、情報２０１２として“使用年数１年６ヶ月”と表示されている。
【０１７９】
情報２０１３は、電池パックの寿命を表している。図１３では、情報２０１３として“寿命残り１年”と表示されている。
【０１８０】
情報２０１４は、電池パックが異常状態又は劣化状態であるか否かを表している。図１３では、電池パックが異常状態又は劣化状態ではないため、情報２０１２として“異常／劣化：無”と表示されている。なお、電池パックが異常状態又は劣化状態である場合、情報２０１２として“異常／劣化：有”と表示される。なお、電池パックが異常状態又は劣化状態であるか否かについての情報は、ログ情報に含まれる。
【０１８１】
情報２０１５は、電池パックの使用履歴を表しており、電池パックが各機器に何回使用されたかを表している。図１３では、情報２０１５として“ハイブリットカー：３４回”、“自転車：１２回”及び“クリーナー：１回”と表示されている。なお、電池パックの使用回数だけでなく、電池パックが各機器に何時間使用されたかを示す使用時間を表示してもよい。
【０１８２】
情報２０１６は、電池パックの充電状態を表している。図１３では、情報２０１６として蓄電池の残量に応じた棒グラフが表示されている。
【０１８３】
このように、電池パックの使用期間に関する情報２０１２、電池パックの寿命に関する情報２０１３、電池パックの異常又は劣化の有無に関する情報２０１４、電池パックの使用履歴に関する情報２０１５及び電池パックの充電状態に関する情報２０１６などの電池パックに関する情報が表示されるので、ユーザは電池パックの現在の状態を容易に確認することができる。
【０１８４】
なお、本実施の形態２において、クラウドサーバ１１１は、ユーザに対して電池パックの買い換えを促すための広告情報を表示するように制御してもよい。
【０１８５】
図１４は、本実施の形態２において、ユーザに対して電池パックの買い換えを促すための広告情報を含む表示情報の例を示す図である。図１２に示す電池画像１０３１が選択された場合、図１４に示す表示情報が表示機器１０５のモニタ２５６に表示される。
【０１８６】
図１４に示す表示情報の内容は、図１３に示す表示情報の内容とほぼ同じである。ただし、図１４に示す表示情報は、ユーザに対して電池パックの買い換えを促すための広告情報２０１７を含む。電池パックの寿命が例えば１年以下である場合、クラウドサーバ１１１の表示情報生成手段４０６は、広告情報２０１７を含む表示情報を生成する。この場合、クラウドサーバ１１１の記憶部２３３は、電池パックを販売する販売店のホームページを示すＵＲＬ（Ｕｎｉｆｏｒｍ  Ｒｅｓｏｕｒｃｅ  Ｌｏｃａｔｏｒ）を予め記憶している。
【０１８７】
広告情報２０１７は、電池パックを販売する販売店のホームページを表示するためのハイパーテキストを含み、電池パックに関する情報に重畳して表示される。図１４では、ユーザの指１１が広告情報２０１７に接触すると、電池パックを販売する販売店のホームページが表示される。
【０１８８】
なお、表示機器１０５は、ＧＰＳにより取得した位置情報をクラウドサーバ１１１へ送信してもよく、クラウドサーバ１１１は、受信した位置情報に基づいて、表示機器１０５の近傍にある販売店を検索し、検索した販売店を広告情報２０１７として表示するよう制御してもよい。
【０１８９】
このように、電池パックの寿命に応じて、ユーザに対して電池パックの買い換えを促すための広告情報２０１７が表示されるので、ユーザは、電池パックが使用できなくなる前に、新たな電池パックに買い換えることができる。
【０１９０】
また、本実施の形態２において、電池パックに関する情報は、現在の電池パックを装着した場合に動作可能な機器を含んでもよい。蓄電池の内部抵抗は、充電及び放電を繰り返すことにより増大する。内部抵抗が増大した蓄電池が自動車などの大きな電流を必要とする機器に使用された場合、蓄電池の電圧は低下する。蓄電池の電圧が機器のカットオフ電圧以下になると、機器は動作しなくなる。そのため、劣化して内部抵抗が大きくなった蓄電池は、大電流負荷の機器に使用できなくなる可能性がある。
【０１９１】
そこで、クラウドサーバ１１１は、現在の電池パックを装着した場合に動作可能な機器を示す情報を表示するように制御する。
【０１９２】
図１５は、本実施の形態２において、現在の電池パックを装着した場合に動作可能な機器を示す情報を含む表示情報の例を示す図である。
【０１９３】
図１５に示す表示情報の内容は、図１３に示す表示情報の内容とほぼ同じである。ただし、図１５に示す表示情報は、現在の電池パックを装着した場合に動作可能な機器を示す情報２１２１を含む。クラウドサーバ１１１の記憶部２３３は、電池パック毎に、機器と、機器への使用が不可能となる電池パックの充放電回数とを対応付けたテーブルを予め記憶している。クラウドサーバ１１１の表示情報生成手段４０６は、電池パックから取得した充放電回数に基づいて、現在の電池パックを装着した場合に動作可能な機器を特定し、特定した機器を示す情報２１２１を含む表示情報を生成する。
【０１９４】
このように、現在の電池パックを装着した場合に動作可能な機器が表示されるので、ユーザは、電池パックを装着することができる機器を特定することができる。
【０１９５】
また、クラウドサーバ１１１は、現在の電池パックを装着した場合に動作可能な機器を示す情報と、現在の電池パックを装着した場合に動作しない機器を示す情報とを表示するように制御してもよい。
【０１９６】
図１６は、本実施の形態２において、現在の電池パックを装着した場合に動作可能な機器を示す情報と、現在の電池パックを装着した場合に動作しない機器を示す情報とを含む表示情報の例を示す図である。
【０１９７】
図１６に示す表示情報の内容は、図１３に示す表示情報の内容とほぼ同じである。ただし、図１６に示す表示情報は、現在の電池パックを装着した場合に動作可能な機器と、現在の電池パックを装着した場合に動作しない機器とに関する情報２１２２を含む。クラウドサーバ１１１の記憶部２３３は、電池パック毎に、機器と、機器への使用が不可能となる電池パックの充放電回数とを対応付けたテーブルを予め記憶している。クラウドサーバ１１１の表示情報生成手段４０６は、電池パックから取得した充放電回数に基づいて、表示すべき複数の機器のうち、現在の電池パックを装着した場合に動作可能な機器と、現在の電池パックを装着した場合に動作しない機器とを特定し、特定した機器を示す情報２１２２を含む表示情報を生成する。
【０１９８】
図１６に示すように、現在の電池パックを装着した場合に動作可能な機器と、現在の電池パックを装着した場合に動作しない機器とは、互いに異なる態様で表示される。現在の電池パックを装着した場合に動作可能な機器については、当該機器を模した画像が表示される。また、現在の電池パックを装着した場合に動作しない機器については、当該機器を模した画像上に使用不可を示すマークが重畳されて表示される。
【０１９９】
このように、現在の電池パックを装着した場合に動作可能な機器と、現在の電池パックを装着した場合に動作しない機器とが表示されるので、ユーザは、電池パックを装着したとしても動作しない機器を容易に判別することができ、各機器に応じた適切な電池パックを装着させることができる。
【０２００】
また、クラウドサーバ１１１は、電池パックの動作を制御するための操作ボタンを表示するように制御してもよい。
【０２０１】
図１７は、本実施の形態２において、ユーザによって選択された電池パックを制御するための操作ボタンを含む表示情報の例を示す図である。図１２に示す電池画像１０３１が選択された場合、図１７に示す表示情報が表示機器１０５のモニタ２５６に表示される。
【０２０２】
図１７に示すように、表示情報は、電池パックを特定する情報２０１１、電池パックの使用期間に関する情報２０１２、電池パックの寿命に関する情報２０１３、電池パックの異常又は劣化の有無に関する情報２０１４及び電池パックの動作を制御するための操作ボタン２１３１を含む。
【０２０３】
操作ボタン２１３１は、電池パックに対して省エネモードで動作させるか否かを設定するための操作ボタンである。省エネモードに設定された場合、電池パックは、出力電力を抑えるので、長時間使用することが可能になる。ユーザの指が操作ボタン２１３１に接触することにより、省エネモードが設定される“オン”と、省エネモードが設定されない“オフ”とが切り替えられて表示される。操作ボタン２１３１が操作されることにより、電池パックの動作モード（例えば、省エネモード）が変更されると、クラウドサーバ１１１の通信部２３２は、電池パックへ動作モードを変更するための制御情報を送信する。電池パック１０３は、クラウドサーバ１１１からの制御情報を受信すると、受信した制御情報に応じて動作モードを変更する。
【０２０４】
これにより、機器に装着された電池パックに対して遠隔制御が可能になる。
【０２０５】
なお、クラウドサーバ１１１は、ユーザを識別するためのユーザ個人ＩＤと、電池パックと、電池パックの動作内容とを予め対応付けて記憶していてもよい。この場合、電池パックが装着された際に、電池パックとユーザとを特定することにより、特定したユーザに応じた制御内容で電池パックを動作させることができる。なお、ユーザを特定する方法については、後述する。
【０２０６】
以上、機器に対して電池パックが装着された場合の処理について説明したが、分電盤に対して電池パックが装着された場合についても同様の処理が行われる。
【０２０７】
図１８は、本実施の形態２において、分電盤に対して電池パックが装着された場合に表示機器のモニタに表示される表示情報の例を示す図である。分電盤１０４に対して電池パック１０３が装着された際に、表示機器１０５のモニタ２５６には、図１８に示す表示情報が表示される。なお、図１８に示す表示情報は、分電盤１０４に対して電池パック１０３が装着された際だけでなく、入力部２５７によって分電盤１０４の状況について表示するための指示が受け付けられた場合に表示されてもよい。
【０２０８】
図１８に示す表示画面では、分電盤を模した分電盤画像２１１１、電池パックが装着されていることを示す電池画像２０２１，２０２２，２０２３、及び電池パックの充電状態を示す充電状態画像２０３１，２０３２，２０３３が表示される。クラウドサーバ１１１の表示情報生成手段４０６は、電池パックの充電状態を含む表示情報を生成する。図１８に示すように、充電状態は、蓄電池の残量に応じた棒グラフで表される。
【０２０９】
また、図１８に示す表示画面では、電池識別子に対応する電池パックを特定するための情報２０５１，２０５２，２０５３がさらに表示される。情報２０５１，２０５２，２０５３は、家庭内に存在する複数の電池パックのそれぞれを識別するための名称であり、例えば、“０１”及び“０３”などの番号で表される。
【０２１０】
また、モニタ２５６は、タッチパネルで構成されており、電池パックを示す電池画像２０２１，２０２２，２０２３を選択可能に表示する。ユーザの指１１が電池画像２０２１，２０２２，２０２３のいずれかに接触すると、接触した電池画像に対応する電池パックに関する情報が表示される。ユーザによって所望の電池画像が選択された場合、図１３〜図１７に示す表示情報が表示される。
【０２１１】
図１９は、本実施の形態２において、分電盤に対して電池パックが装着された場合に表示機器のモニタに表示される表示情報の他の例を示す図である。
【０２１２】
例えば、分電盤には、電池パックを装着するための複数の充電スペースが設けられている。分電盤は、停電時におけるバックアップ電源としての機能だけでなく、電池パックに電力を充電する充電機器としての機能も有してする。そのため、現在、分電盤に何台の電池パックを装着することが可能であるかを報知することにより、より利便性を向上させる。
【０２１３】
図１９に示す表示画面では、分電盤１０４に設けられた３つの充電スペースのうち、１つが空いていることを示している。電池パックが装着されていない充電スペースを示す画像２０２４が表示される。
【０２１４】
なお、本実施の形態２において、クラウドサーバ１１１は、現在機器に装着されていない電池パックを表示するよう制御してもよく、現在機器に装着されていない電池パックに関する情報を表示するよう制御してもよい。
【０２１５】
また、本実施の形態２では、予め表示機器に紐付けられている複数の機器が表示されるとともに、複数の機器に対する電池パックの装着状況が表示されるが、本開示は特にこれに限定されず、表示機器からクラウドサーバへ送信される表示要求に電池パックの装着状況を表示する機器を指定する情報を含めてもよく、指定された機器が表示されるとともに、指定された機器に対する電池パックの装着状況が表示されてもよい。
【０２１６】
また、本実施の形態２では、予め表示機器に紐付けられている複数の機器が表示されるが、本開示は特にこれに限定されず、予めユーザ世帯ＩＤと複数の機器とを紐付けておき、ユーザ世帯ＩＤに紐付けられている全ての機器を表示してもよい。この場合、クラウドサーバ１１１は、所定の表示機器から、所定の世帯が所有する複数の機器の電池パックの装着状況を表示する要求を受け付けた際に、所定の世帯が所有する全ての機器の各々に装着されている全ての電池パックの電池識別子と、各々の電池パックが有する蓄電池の残量とを取得してもよい。そして、クラウドサーバ１１１は、取得した電池識別子に対応する電池パックを特定するための情報と、取得した電池識別子に対応する電池パックの残量とを併せて表示するように制御してもよい。
【０２１７】
また、本実施の形態２では、ユーザにより電池パック１０３の装着状況を表示する要求がなされると、クラウドサーバ１１１に表示要求が送信され、クラウドサーバ１１１の記憶部２３３からログ情報を読み出し、表示情報を生成しているが、これに限定されない。
【０２１８】
上記表示要求が表示装置に紐付けされた電池パック１０３に送信され、表示機器１０５は、電池パック１０３の記憶部２１７よりログ情報を取得し、表示情報を取得してもよい。このとき、上記表示情報は、クラウドサーバ１１１で生成されず、表示機器１０５内で生成される。つまり、表示機器１０５は、表示情報生成手段４０６と同様の機能を備える表示情報生成手段を備える。
【０２１９】
また、本実施の形態２では、電池パック１０３において蓄電池の寿命が推定されるが、本開示は特にこれに限定されず、クラウドサーバ１１１が、電池パック１０３から充放電サイクルを取得し、取得した充放電サイクルを用いて寿命を推定してもよい。また、電池パック１０３において電池パック１０３の使用期間が検出されるが、本開示は特にこれに限定されず、クラウドサーバ１１１が、電池パック１０３から使用開始年月日を取得し、取得した使用開始年月日から使用期間を算出してもよい。
【０２２０】
（実施の形態３）
実施の形態３では、電池パックを使用しているユーザを特定する。
【０２２１】
図２０は、本開示の実施の形態３における情報提供システムの概略構成を示す図である。
【０２２２】
ユーザ１０が電池パック１０３を機器１０１に装着すると、電池パック１０３はユーザ１０が所有している表示機器１０５と通信を行い、表示機器１０５からユーザ１０を識別するためのユーザ個人ＩＤを取得する。そして、電池パック１０３は、ネットワーク上に配置されたクラウドサーバ１１１（又はサーバ１２１）に、ユーザ個人ＩＤを含むログ情報を送信する。なお、分電盤１０４に電池パック１０３が装着された場合も、機器１０１に電池パック１０３が装着された場合と同じ処理が行われる。また、機器１０１又は分電盤１０４から電池パック１０３が脱着された場合も、機器１０１に電池パック１０３が装着された場合と同じ処理が行われてもよい。
【０２２３】
なお、電池パック１０３と表示機器１０５との通信は、例えばＢｌｕｅｔｏｏｔｈ（登録商標）などの無線通信で行われる。電池パック１０３と表示機器１０５とは、予めペアリング処理が行われることにより、互いに通信可能な距離に近づくだけで接続される。
【０２２４】
なお、電池パック１０３及び表示機器１０５はそれぞれＧＰＳを備えてもよく、電池パック１０３は、最も近くに存在する表示機器１０５と接続してもよい。これにより、電池パック１０３と通信可能な距離に複数の表示機器が存在する場合に、電池パック１０３を機器１０１に装着したユーザが所有する表示機器を特定することができる。
【０２２５】
クラウドサーバ１１１（又はサーバ１２１）は、電池パック１０３が複数の機器１０１のうちのいずれかの機器へ装着された際に、電池パック１０３を識別するための電池識別子、電池パック１０３が装着された機器を識別するための機器識別子及びユーザ個人ＩＤを含むログ情報を取得する。クラウドサーバ１１１（又はサーバ１２１）は、電池識別子に紐付けられた表示機器１０５に対して、取得した電池識別子に対応する電池パックが取得した機器識別子に対応する機器に取得したユーザ個人ＩＤに対応するユーザによって装着されたことを示す情報を表示するように制御する。
【０２２６】
表示機器１０５は、電池識別子に対応する電池パックが機器識別子に対応する機器にユーザ個人ＩＤに対応するユーザによって装着されたことを示す情報を表示する。
【０２２７】
また、クラウドサーバ１１１（又はサーバ１２１）は、電池パック１０３から取得した電池識別子と機器識別子とユーザ個人ＩＤとをそれぞれ対応付けて使用履歴として記憶する。そして、クラウドサーバ１１１（又はサーバ１２１）は、電池パック１０３が複数の機器１０１のうちのいずれかの機器へ装着された際に、電池パック１０３から取得したログ情報に含まれるユーザ個人ＩＤと、ログ情報を取得した日とは異なる日でありログ情報を取得した時刻と同じ時刻において電池パック１０３から取得したログ情報に含まれる電池識別子と同じ電池識別子に対応付けて使用履歴として記憶されているユーザ個人ＩＤとを比較する。クラウドサーバ１１１（又はサーバ１２１）は、両者のユーザ個人ＩＤが異なる場合、使用履歴として記憶されているユーザ個人ＩＤに対応する表示機器１０５に、電池識別子に対応する電池パックが機器識別子に対応する機器にユーザ個人ＩＤに対応するユーザによって装着されたことを示す情報を表示するよう制御する。
【０２２８】
なお、複数の機器１０１のうちのいずれかの機器に装着されている電池パック１０３が脱着された際に、次のような制御を行ってもよい。
【０２２９】
具体的には、電池パック１０３が脱着された際、脱着したユーザのユーザ個人ＩＤと、脱着された日とは異なる日であり、脱着された時刻と同じ時刻において電池パック１０３から取得したログ情報に含まれる電池識別子と同じ電池識別子に対応付けて使用履歴として記憶されているユーザ個人ＩＤとを比較する。クラウドサーバ１１１（又はサーバ１２１）は、両者のユーザ個人ＩＤが異なる場合、使用履歴として記憶されているユーザ個人ＩＤに対応する表示機器１０５に、電池識別子に対応する電池パックが機器識別子に対応する機器からユーザ個人ＩＤに対応するユーザによって脱着されたことを示す情報を表示するよう制御する。
【０２３０】
また、電池パック１０３を使用する複数のユーザのうち電池パック１０３を主に使用するメインユーザが設定され、メインユーザと異なるユーザが電池パック１０３を機器１０１に装着した場合、この旨を示す情報をメインユーザの表示機器１０５に表示するよう制御してもよい。具体的な制御の一例は次の通りである。メインユーザのユーザ個人ＩＤがメインユーザＩＤとして、クラウドサーバ１１１（又はサーバ１２１）に記憶されている。ここで、電池パック１０３が装着された場合、これを行ったユーザ個人ＩＤと、クラウドサーバ１１１（又はサーバ１２１）に記憶されている、メインユーザのユーザ個人ＩＤとを比較する。クラウドサーバ１１１（又はサーバ１２１）は、両者のユーザ個人ＩＤが異なる場合、メインユーザのユーザ個人ＩＤに対応する表示機器１０５に、電子識別子に対応する電池パックが機器識別子に対応する機器にユーザ個人ＩＤに対応するユーザによって装着されたことを示す情報を表示するよう制御する。
【０２３１】
なお、電池パック１０３を使用するメインユーザと異なるユーザが電池パック１０３を機器１０１に脱着した場合、この旨を示す情報をメインユーザの表示機器１０５に表示するよう制御してもよい。具体的な制御の一例は、次の通りである。メインユーザのユーザ個人ＩＤがメインユーザＩＤとして、クラウドサーバ１１１（又はサーバ１２１）に記憶されている。ここで、電池パック１０３が脱着された場合、これを行ったユーザ個人ＩＤと、クラウドサーバ１１１（又はサーバ１２１）に記憶されている、メインユーザのユーザ個人ＩＤとを比較する。クラウドサーバ１１１（又はサーバ１２１）は、両者のユーザ個人ＩＤが異なる場合、メインユーザのユーザ個人ＩＤに対応する表示機器１０５に、電子識別子に対応する電池パックが機器識別子に対応する機器にユーザ個人ＩＤに対応するユーザによって脱着されたことを示す情報を表示するよう制御する。
【０２３２】
図２１は、本発明の実施の形態３における電池パック、表示機器及びクラウドサーバの構成を示す機能ブロック図である。なお、実施の形態３における情報提供システムのハードウェア構成は、図３に示す実施の形態１における情報提供システムのハードウェア構成と同じであるので、説明を省略する。また、図２１において、図４に示す実施の形態１における電池パック、表示機器及びクラウドサーバと同じ構成については同じ符号を付し、説明を省略する。
【０２３３】
電池パック１０３は、装着検知手段３０１、識別子取得手段３０２、ログ情報送信手段３０３、ペアリング情報送信手段３０８及びユーザ個人ＩＤ受信手段３０９を備える。なお、図３に示す通信部２１６はペアリング情報送信手段３０８及びユーザ個人ＩＤ受信手段３０９を有している。
【０２３４】
ペアリング情報送信手段３０８は、装着検知手段３０１によって電池パック１０３が機器１０１に装着されたことが検知されると、特定の表示機器１０５と通信可能に接続するためのペアリング情報を送信する。なお、ペアリング情報は、ペアリング処理において生成された互いの機器を認証するための情報である。電池パック１０３と表示機器１０５とは、同一のペアリング情報を記憶する。
【０２３５】
ユーザ個人ＩＤ受信手段３０９は、表示機器１０５によって送信されたユーザ個人ＩＤを受信する。ユーザ個人ＩＤは、ユーザを識別するための識別子である。
【０２３６】
ログ情報送信手段３０３は、識別子取得手段３０２によって取得された機器識別子及び電池識別子と、ユーザ個人ＩＤ受信手段３０９によって受信されたユーザ個人ＩＤとを含むログ情報をクラウドサーバ１１１へ送信する。
【０２３７】
表示機器１０５は、表示情報受信手段５０１、情報表示手段５０２、ペアリング情報受信手段５０５及びユーザ個人ＩＤ送信手段５０６を備える。
【０２３８】
ペアリング情報受信手段５０５は、電池パック１０３によって送信されたペアリング情報を受信する。
【０２３９】
ユーザ個人ＩＤ送信手段５０６は、ペアリング情報受信手段５０５によって受信されたペアリング情報が予め記憶されているペアリング情報と一致する場合、ユーザ個人ＩＤを電池パック１０３へ送信する。ユーザ個人ＩＤは、予めメモリ２５３に記憶されている。なお、ユーザ個人ＩＤに替えて表示機器を識別するための識別子を用いてもよい。
【０２４０】
クラウドサーバ１１１は、ログ情報受信手段４０１、電池パック管理データベース４０２、装着機器特定手段４０３、装着電池特定手段４０４、対象表示機器選択手段４０５、表示情報生成手段４０６及び表示情報送信手段４０７を備える。
【０２４１】
電池パック管理データベース４０２は、ログ情報受信手段４０１によって受信されたログ情報に含まれる機器識別子、電池識別子、ユーザ個人ＩＤ及び日時情報をユーザの世帯（グループ）毎に使用履歴として記憶する。
【０２４２】
図２２は、本実施の形態３において電池パック管理データベースに記憶されるデータの一例を示す図である。
【０２４３】
図２２に示すように、電池パック管理データベース４０２は、ユーザ世帯ＩＤ（ユーザ世帯識別子）に対応付けて、ユーザ個人ＩＤ（ユーザ個人識別子）、電池パックＩＤ（電池識別子）、機器ＩＤ（機器識別子）、装着状況及び日時情報を記憶する。例えば、ユーザ世帯ＩＤ“０ＸＸ１６８”に対応する家庭では、２０１３年１２月１７日１０時５８分に電池パックＩＤ“１”に対応する電池パックが機器ＩＤ“ＸＸ０１”に対応する機器にユーザ個人ＩＤ“Ａ”に対応するユーザによって装着されたことがわかる。なお、ユーザ世帯ＩＤ（ユーザ世帯識別子）は、受信したログ情報に含まれていてもよい。また、記憶部２３３は、電池パックＩＤ（電池識別子）又は機器ＩＤ（機器識別子）とユーザ世帯ＩＤ（ユーザ世帯識別子）とを対応付けたテーブルを予め記憶してもよく、ログ情報受信手段４０１は、受信したログ情報に含まれる電池パックＩＤ又は機器ＩＤに対応するユーザ世帯ＩＤをテーブルから取得して、電池パック管理データベース４０２に記憶してもよい。
【０２４４】
対象表示機器選択手段４０５は、電池パックが複数の機器のうちいずれかの機器へ装着された際に、使用履歴に基づいて、電池パックが装着された日とは異なる日の略同一の時刻において、装着された電池パックに紐付けられているユーザ個人ＩＤを特定する。なお、略同一の時刻とは、同一の時刻であってもよいし、同一の時刻から前後１時間の間の時刻であってもよい。そして、対象表示機器選択手段４０５は、取得したユーザ個人ＩＤと、特定したユーザ識別子とを比較する。取得したユーザ個人ＩＤと、特定したユーザ個人ＩＤとが異なる場合、対象表示機器選択手段４０５は、特定したユーザ個人ＩＤに紐付けられた表示機器を選択する。なお、記憶部２３３は、ユーザ個人ＩＤと表示機器１０５とを対応付けたテーブルを予め記憶している。対象表示機器選択手段４０５は、特定したユーザ個人ＩＤに対応する表示機器１０５をテーブルから取得する。
【０２４５】
一方、取得したユーザ識別子と、特定したユーザ識別子とが同じである場合、対象表示機器選択手段４０５は、電池パックＩＤに紐付けられた表示機器を選択する。なお、記憶部２３３は、電池パックＩＤと表示機器１０５とを対応付けたテーブルを予め記憶している。対象表示機器選択手段４０５は、受信したログ情報に含まれる電池パックＩＤに対応する表示機器１０５をテーブルから取得する。
【０２４６】
表示情報生成手段４０６は、表示機器１０５に表示すべき、取得した電池識別子に対応する電池パックが取得した機器識別子に対応する機器に取得したユーザ個人ＩＤに対応するユーザによって装着されたことを示す表示情報を生成する。
【０２４７】
図２３は、本実施の形態３において、表示機器のモニタに表示される表示情報の一例を示す図である。
【０２４８】
装着機器特定手段４０３は、ログ情報に含まれる機器識別子に基づいて、電池パック１０３が装着された機器１０１が自動車であると特定する。また、装着電池特定手段４０４は、ログ情報に含まれる電池識別子に基づいて、機器１０１に装着した電池パック１０３が７号機であると特定する。
【０２４９】
また、対象表示機器選択手段４０５は、電池パックが複数の機器のうちいずれかの機器へ装着された際に、使用履歴に基づいて、電池パックが装着された日とは異なる日の略同一の時刻において、装着された電池パックに紐付けられているユーザ個人ＩＤを特定する。ここでは、電池パック（７号機）を機器（自動車）に装着したユーザは、兄であり、電池パックが装着された日とは異なる前日の同一の時刻において、電池パック（７号機）を機器装着したユーザは、父であるとする。この場合、対象表示機器選択手段４０５は、取得したユーザ個人ＩＤ（兄のユーザ個人ＩＤ）と、特定したユーザ個人ＩＤ（父のユーザ個人ＩＤ）とが異なるので、特定したユーザ個人ＩＤに紐付けられた表示機器を選択する。つまり、対象表示機器選択手段４０５は、父が所有する表示機器を選択する。
【０２５０】
そして、表示情報生成手段４０６は、“自動車に電池パック０７号機をお兄さんが装着しました！”という表示情報を生成する。このとき、記憶部２３３は、ユーザ個人ＩＤに対して、表示機器１０５に表示させる名前又はニックネームなどを予め対応付けて記憶してもよく、表示情報生成手段４０６は、ユーザ個人ＩＤに対応する名前又はニックネームを記憶部２３３から読み出し、表示情報に含めてもよい。
【０２５１】
表示機器１０５の情報表示手段５０２は、“自動車に電池パック０７号機をお兄さんが装着しました！”という表示情報６０２をモニタ２５６に表示する。
【０２５２】
なお、本実施の形態３において、クラウドサーバ１１１の制御部２３１は、使用履歴に基づいて、電池パック１０３のユーザを特定するとともに、電池パック１０３を充電すべきタイミングを特定し、特定したユーザに紐付けられた表示機器１０５に対して、電池パック１０３を充電すべきタイミングを表示するように制御してもよい。
【０２５３】
すなわち、クラウドサーバ１１１の制御部２３１は、電池パックを使用するユーザを特定する。そして、制御部２３１は、例えば前日以前に電池パックが機器に装着された時刻に基づいて現在時刻以降に電池パックが機器に装着される予定時刻を特定し、電池パックの現在の残量に基づいて電池パックの充電が完了するまでの充電完了時間を特定し、特定した予定時刻から充電完了時間を減算した時刻を、電池パックを充電すべきタイミングとして決定する。そして、クラウドサーバ１１１の制御部２３１は、特定したユーザに紐付けられた表示機器に対して、電池パックを充電すべきタイミングを表示するように制御する。
【０２５４】
これにより、普段電池パックを使用しているユーザに対して、いつ電池パックを充電すればよいかを報知することができる。
【０２５５】
（実施の形態４）
実施の形態１〜３では、スマートフォンなどの携帯端末で構成される表示機器が、電池パックが機器又は分電盤に装着されていることを示す情報を表示しているが、実施の形態４では、分電盤に設けられた表示部が、電池パックが機器又は分電盤に装着されていることを示す情報を表示する。
【０２５６】
図２４は、本実施の形態４において、カバーを開けた状態の分電盤の外観を示す図であり、図２５は、本実施の形態４において、カバーを閉じた状態の分電盤の外観を示す図である。図２４及び図２５に示すように、分電盤１０４は、複数のブレーカ３００１、複数の電池収納部３００２及び表示部３００３を備える。複数の電池収納部３００２は、電池パック１０３をそれぞれ充放電可能に収納する。図２４の例では、分電盤１０４は、３つの電池収納部３００２を有しており、各電池収納部３００２には、電池パック１０３が装着されている。
【０２５７】
表示部３００３は、分電盤１０４のカバーの表面に設けられており、例えば液晶タッチパネルで構成される。なお、分電盤１０４は、図１１に示す表示機器１０５の構成を備える。
【０２５８】
分電盤１０４に対して電池パック１０３が装着された際に、表示部３００３には、図２５に示す表示情報が表示される。なお、図２５に示す表示情報は、分電盤１０４に対して電池パック１０３が装着された際だけでなく、分電盤１０４の状況について表示するための指示が受け付けられた場合に表示されてもよい。また、表示部３００３は、機器１０１に対して電池パック１０３が装着された際には、図１２に示すような表示情報を表示する。
【０２５９】
図２５に示す表示画面では、分電盤を模した分電盤画像２１１１、電池パックが装着されていることを示す電池画像２０２１，２０２２，２０２３、及び電池パックの充電状態を示す充電状態画像２０３１，２０３２，２０３３が表示される。クラウドサーバ１１１の表示情報生成手段４０６は、電池パックの充電状態を含む表示情報を生成する。図２５に示すように、充電状態は、蓄電池の残量に応じた棒グラフで表される。
【０２６０】
また、図２５に示す表示画面では、電池識別子に対応する電池パックを特定するための情報２０５１，２０５２，２０５３がさらに表示される。情報２０５１，２０５２，２０５３は、家庭内に存在する複数の電池パックのそれぞれを識別するための名称であり、例えば、“０１”及び“０３”などの番号で表される。
【０２６１】
また、表示部３００３は、タッチパネルで構成されており、電池パックを示す電池画像２０２１，２０２２，２０２３を選択可能に表示する。ユーザの指１１が電池画像２０２１，２０２２，２０２３のいずれかに接触すると、接触した電池画像に対応する電池パックに関する情報が表示される。ユーザによって所望の電池画像が選択された場合、図２６又は図２７に示す表示情報が表示される。
【０２６２】
図２６は、本実施の形態４において、ユーザによって選択された電池パックに関する情報と、現在の電池パックを装着した場合に動作可能な機器を示す情報とを含む表示情報の例を示す図であり、図２７は、本実施の形態４において、ユーザによって選択された電池パックに関する情報と、現在の電池パックを装着した場合に動作可能な機器を示す情報と、現在の電池パックを装着した場合に動作しない機器を示す情報とを含む表示情報の例を示す図である。図２６に示す表示情報の内容は、図１５に示す表示情報の内容と同じであり、図２７に示す表示情報の内容は、図１６に示す表示情報の内容と同じであるので、説明を省略する。
【０２６３】
このように、分電盤１０４が備える表示部３００３に、電池パック１０３が機器１０１又は分電盤１０４に装着されていることを示す情報が表示されるので、ユーザは、分電盤１０４で充電中の電池パック１０３の状態を、分電盤１０４において確認することができる。
【０２６４】
なお、上記の各実施の形態において、各構成要素は、専用のハードウェアで構成されてもよい。また、各構成要素は、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。
【０２６５】
以上、一つ又は複数の態様に係る情報提供方法及び情報提供システムについて、実施の形態に基づいて説明したが、本開示は、この実施の形態に限定されるものではない。本開示の趣旨を逸脱しない限り、当業者が思い付く各種変形を本実施の形態に施したものや、異なる実施の形態における構成要素を組み合わせて構築される形態も、一つ又は複数の態様の範囲内に含まれてもよい。
【０２６６】
（サービスの類型）
上記全ての実施の形態において説明された技術は、例えば、以下のクラウドサービスの類型において実現されうる。しかし、上記態様において説明された技術が実現されるクラウドサービスの類型はこれに限られるものでない。
【０２６７】
（サービスの類型１：自社データセンタ型クラウドサービス）
図２８は、サービスの類型１（自社データセンタ型クラウドサービス）における情報提供システムが提供するサービスの全体像を示す図である。本類型では、サービスプロバイダ１２０がグループ１００から情報を取得し、ユーザに対してサービスを提供する。本類型では、サービスプロバイダ１２０が、データセンタ運営会社の機能を有している。すなわち、サービスプロバイダ１２０が、ビッグデータを管理するクラウドサーバ２４３を保有している。したがって、データセンタ運営会社は存在しない。
【０２６８】
本類型では、サービスプロバイダ１２０は、データセンタ（クラウドサーバ）２４３を運営及び管理している。また、サービスプロバイダ１２０は、オペレーティングシステム（ＯＳ）２４２及びアプリケーション２４１を管理する。サービスプロバイダ１２０は、サービスプロバイダ１２０が管理するＯＳ２４２及びアプリケーション２４１を用いてサービスを提供する（矢印２４４）。
【０２６９】
（サービスの類型２：ＩａａＳ利用型クラウドサービス）
図２９は、サービスの類型２（ＩａａＳ利用型クラウドサービス）における情報提供システムが提供するサービスの全体像を示す図である。ここで、ＩａａＳとは、インフラストラクチャー・アズ・ア・サービスの略であり、コンピュータシステムを構築及び稼動させるための基盤そのものを、インターネット経由のサービスとして提供するクラウドサービス提供モデルである。
【０２７０】
本類型では、データセンタ運営会社１１０が、データセンタ（クラウドサーバ）２４３を運営及び管理している。また、サービスプロバイダ１２０は、ＯＳ２４２及びアプリケーション２４１を管理する。サービスプロバイダ１２０は、サービスプロバイダ１２０が管理するＯＳ２４２及びアプリケーション２４１を用いてサービスを提供する（矢印２４４）。
【０２７１】
（サービスの類型３：ＰａａＳ利用型クラウドサービス）
図３０は、サービスの類型３（ＰａａＳ利用型クラウドサービス）における情報提供システムが提供するサービスの全体像を示す図である。ここで、ＰａａＳとは、プラットフォーム・アズ・ア・サービスの略であり、ソフトウェアを構築及び稼動させるための土台となるプラットフォームを、インターネット経由のサービスとして提供するクラウドサービス提供モデルである。
【０２７２】
本類型では、データセンタ運営会社１１０は、ＯＳ２４２を管理し、データセンタ（クラウドサーバ）２４３を運営及び管理している。また、サービスプロバイダ１２０は、アプリケーション２４１を管理する。サービスプロバイダ１２０は、データセンタ運営会社１１０が管理するＯＳ２４２及びサービスプロバイダ１２０が管理するアプリケーション２４１を用いてサービスを提供する（矢印２４４）。
【０２７３】
（サービスの類型４：ＳａａＳ利用型クラウドサービス）
図３１は、サービスの類型４（ＳａａＳ利用型クラウドサービス）における情報提供システムが提供するサービスの全体像を示す図である。ここで、ＳａａＳとは、ソフトウェア・アズ・ア・サービスの略である。ＳａａＳ利用型クラウドサービスは、例えば、データセンタ（クラウドサーバ）を保有しているプラットフォーム提供者が提供するアプリケーションを、データセンタ（クラウドサーバ）を保有していない会社又は個人などの利用者がインターネットなどのネットワーク経由で使用できる機能を有するクラウドサービス提供モデルである。
【０２７４】
本類型では、データセンタ運営会社１１０は、アプリケーション２４１を管理し、ＯＳ２４２を管理し、データセンタ（クラウドサーバ）２４３を運営及び管理している。また、サービスプロバイダ１２０は、データセンタ運営会社１１０が管理するＯＳ２４２及びアプリケーション２４１を用いてサービスを提供する（矢印２４４）。
【０２７５】
以上、いずれのクラウドサービスの類型においても、サービスプロバイダ１２０がサービスを提供する。また、例えば、サービスプロバイダ又はデータセンタ運営会社は、ＯＳ、アプリケーション又はビックデータのデータベース等を自ら開発してもよいし、また、第三者に外注させてもよい。
【産業上の利用可能性】
【０２７６】
本開示に係る情報提供方法及び情報提供装置は、電池パックが装着されている機器をユーザが把握することができ、複数の機器に装着することが可能な電池パックの装着状況に基づいて、表示機器に情報を提供する情報提供方法及び情報提供装置に有用である。
【０２７７】
また、本開示に係る電池パックは、複数の電池パックのうちのどの電池パックが複数の機器のうちのどの機器に装着されたかをユーザに対して通知することができ、複数の機器に装着することが可能な電池パックに有用である。
【符号の説明】
【０２７８】
１０，２０    ユーザ
１００    グループ
１０１    機器
１０２    ホームゲートウェイ
１０３    電池パック
１０４    分電盤
１０５    表示機器
１１０    データセンタ運営会社
１１１    クラウドサーバ
１２０    サービスプロバイダ
１２１    サーバ
２０１    接続端子
２０２    通信部
２０３    制御部
２０４    記憶部
２１１    蓄電池
２１２    接続端子
２１３    充電回路
２１４    放電回路
２１５    制御部
２１６    通信部
２１７    記憶部
２１８    装着検知部
２２１    接続端子
２２２    制御部
２２３    電力供給部
２２４    通信部
２２５    記憶部
２３１    制御部
２３２    通信部
２３３    記憶部
２５１    制御部
２５２    通信部
２５３    メモリ
２５４    スピーカ
２５５    マイク
２５６    モニタ
２５７    入力部
３０１    装着検知手段
３０２    識別子取得手段
３０３    ログ情報送信手段
３０４    ログ情報要求受信手段
３０５    充電状態検出手段
３０６    使用状況検出手段
３０７    寿命推定手段
３０８    ペアリング情報送信手段
３０９    ユーザ個人ＩＤ受信手段
４０１    ログ情報受信手段
４０２    電池パック管理データベース
４０３    装着機器特定手段
４０４    装着電池特定手段
４０５    対象表示機器選択手段
４０６    表示情報生成手段
４０７    表示情報送信手段
４０８    表示要求受信手段
４０９    ログ情報要求送信手段
５０１    表示情報受信手段
５０２    情報表示手段
５０３    入力受付手段
５０４    表示要求送信手段
５０５    ペアリング情報受信手段
５０６    ユーザ個人ＩＤ送信手段
【図１】
0006484827.tif 000002
【図２】
0006484827.tif 000003
【図３】
0006484827.tif 000004
【図４】
0006484827.tif 000005
【図５】
0006484827.tif 000006
【図６】
0006484827.tif 000007
【図７】
0006484827.tif 000008
【図８】
0006484827.tif 000009
【図９】
0006484827.tif 000010
【図１０】
0006484827.tif 000011
【図１１】
0006484827.tif 000012
【図１２】
0006484827.tif 000013
【図１３】
0006484827.tif 000014
【図１４】
0006484827.tif 000015
【図１５】
0006484827.tif 000016
【図１６】
0006484827.tif 000017
【図１７】
0006484827.tif 000018
【図１８】
0006484827.tif 000019
【図１９】
0006484827.tif 000020
【図２０】
0006484827.tif 000021
【図２１】
0006484827.tif 000022
【図２２】
0006484827.tif 000023
【図２３】
0006484827.tif 000024
【図２４】
0006484827.tif 000025
【図２５】
0006484827.tif 000026
【図２６】
0006484827.tif 000027
【図２７】
0006484827.tif 000028
【図２８】
0006484827.tif 000029
【図２９】
0006484827.tif 000030
【図３０】
0006484827.tif 000031
【図３１】
0006484827.tif 000032